(57)【要約】【課題】電子機器の周囲の環境に応じたコンテンツの提示の制御を行う。【解決手段】電子機器の制御方法は、電子機器の周囲の環境に関する情報、又は、電子機器の設置態様に関する情報を含む、電子機器の環境情報を取得し（ステップＳ１）、電子機器の環境情報と、電子機器によるコンテンツの提示に関する制御の内容との所定の対応付けを参照することで、取得した環境情報に対応付けられた、電子機器によるコンテンツの提示に関する制御を行う（ステップＳ２）。【選択図】図２７
2020065097.tif 000002
【特許請求の範囲】
【請求項１】
電子機器の制御方法であって、
前記電子機器の周囲の環境に関する情報、又は、前記電子機器の設置態様に関する情報を含む、前記電子機器の環境情報を取得し、
前記電子機器の環境情報と、前記電子機器によるコンテンツの提示に関する制御の内容との所定の対応付けを参照することで、取得した前記環境情報に対応付けられた、前記電子機器によるコンテンツの提示に関する制御を行う
制御方法。
【請求項２】
前記環境情報は、前記電子機器の周囲の環境に関する情報として、前記電子機器の周囲の人の有無、前記電子機器の周囲の人の向き、又は、前記電子機器の周囲の明るさを示す情報を含み、
前記環境情報の取得は、
前記電子機器の周囲の環境を感知して前記環境を示す環境値を出力するセンサによりなされる
請求項１に記載の制御方法。
【請求項３】
前記コンテンツの提示に関する制御では、
前記所定の対応付けを参照することで、前記センサにより取得された前記環境情報に対応付けられた前記制御の内容である、前記電子機器により提示すべきコンテンツを選択し、選択された前記コンテンツを提示する制御を行う
請求項２に記載の制御方法。
【請求項４】
前記所定の対応付けは、前記電子機器の環境情報と、当該環境情報に適合する環境情報を有する電子機器が提示すべきコンテンツの属性を示す属性情報との対応付けを含み、
前記コンテンツの提示に関する制御では、
前記所定の対応付けを参照することで、取得した前記環境情報に対応付けられた属性情報を有するコンテンツの選択を行う
請求項３に記載の制御方法。
【請求項５】
前記所定の対応付けは、前記電子機器が提示すべきコンテンツと、当該コンテンツの許容される提示態様を示す許容情報とを含み、
前記コンテンツの提示に関する制御では、前記許容情報によって許容される提示態様で提示できるコンテンツの選択を行う
請求項４に記載の制御方法。
【請求項６】
前記所定の対応付けは、前記電子機器の環境情報の変化を示す情報と、コンテンツの提示の開始、停止又は終了との対応付けを含み、
前記コンテンツの提示に関する制御では、
前記所定の対応付けを参照することで、取得した前記環境情報の変化に対応付けられた、前記電子機器により提示すべきコンテンツの提示の開始、停止又は終了を行う
請求項１〜５のいずれか１項に記載の制御方法。
【請求項７】
前記所定の対応付けは、前記電子機器の環境情報の変化を示す情報と、コンテンツの音量又は明るさの変更との対応付けを含み、
前記コンテンツの提示に関する制御では、
前記所定の対応付けを参照することで、取得した前記環境情報の変化に対応付けられた、前記電子機器により提示すべきコンテンツの音量又は明るさの変更を行う
請求項１〜６のいずれか１項に記載の制御方法。
【請求項８】
前記環境情報は、前記電子機器の設置態様に関する情報として、設置された前記電子機器の姿勢を示す情報を含み、
前記所定の対応付けは、前記電子機器の姿勢を示す情報と、当該姿勢にある前記電子機器によるコンテンツの提示に関する制御との対応付けを含み、
前記コンテンツの提示に関する制御では、前記電子機器の姿勢を示す情報に対応付けられた、コンテンツの提示に関する制御を行う
請求項１〜７のいずれか１項に記載の制御方法。
【請求項９】
前記環境情報は、前記電子機器の設置態様に関する情報として、前記電子機器が他の電子機器とともに並べて設置されているか否かに関する情報である並置情報を含み、
前記所定の対応付けは、前記電子機器の並置情報と、当該並置情報に示される設置の態様で設置された前記電子機器によるコンテンツの提示に関する制御との対応付けを含み、
前記コンテンツの提示に関する制御では、前記電子機器の並置情報に対応付けられた、コンテンツの提示に関する制御を行う
請求項１〜８のいずれか１項に記載の制御方法。
【請求項１０】
前記制御方法では、さらに、
前記コンテンツの提示に関するログ情報を出力する
請求項１〜９のいずれか１項に記載の制御方法。
【請求項１１】
電子機器の制御システムであって、
前記電子機器の周囲の環境に関する情報、又は、前記電子機器の設置態様に関する情報を含む、前記電子機器の環境情報を取得する取得部と、
前記電子機器の環境情報と、前記電子機器によるコンテンツの提示に関する制御の内容との所定の対応付けを参照することで、取得した前記環境情報に対応付けられた、前記電子機器によるコンテンツの提示に関する制御を行う制御処理部とを備える
制御システム。
【請求項１２】
電子機器であって、
前記電子機器の周囲の環境に関する情報、又は、前記電子機器の設置態様に関する情報を含む、前記電子機器の環境情報を取得する取得部と、
前記電子機器の環境情報と、前記電子機器によるコンテンツの提示に関する制御の内容との所定の対応付けを参照することで、取得した前記環境情報に対応付けられた、前記電子機器によるコンテンツの提示に関する制御を行う制御処理部とを備える
電子機器。
【請求項１３】
請求項１に記載の電子機器の制御方法をコンピュータに実行させるためのプログラム。
【発明の詳細な説明】
【技術分野】
【０００１】
本開示は、電子機器の制御方法、電子機器の制御システム、電子機器、及び、プログラムに関する。
【背景技術】
【０００２】
従来、複数のコンピュータ端末による映像再生を同期させるために、各コンピュータ端末の通信環境又はコンピュータ環境に応じたコンテンツを選択する技術がある（特許文献１参照）。
【先行技術文献】
【特許文献】
【０００３】
【特許文献１】特開２００６−１０８８９５号公報
【発明の概要】
【発明が解決しようとする課題】
【０００４】
しかしながら、特許文献１が開示する技術では、コンピュータのハードウェア的な要因、及び、ソフトウェア的な要因を含む通信環境又はコンピュータ環境に応じたコンテンツの選択がなされるだけである。そのため、その他の要因に基づくコンテンツの選択、及び、コンテンツの提示の制御などが実現し得ないという問題がある。
【０００５】
そこで、本開示は、電子機器のハードウェア又はソフトウェア的な要因とは異なる、電子機器の周囲の環境に応じたコンテンツの提示の制御を行う電子機器の制御方法を提供する。
【課題を解決するための手段】
【０００６】
本開示の一態様に係る電子機器の制御方法は、前記電子機器の周囲の環境に関する情報、又は、前記電子機器の設置態様に関する情報を含む、前記電子機器の環境情報を取得し、前記電子機器の環境情報と、前記電子機器によるコンテンツの提示に関する制御の内容との所定の対応付けを参照することで、取得した前記環境情報に対応付けられた、前記電子機器によるコンテンツの提示に関する制御を行う。
【０００７】
なお、これらの包括的または具体的な態様は、システム、装置、集積回路、コンピュータプログラムまたはコンピュータ読み取り可能なＣＤ−ＲＯＭなどの記録媒体で実現されてもよく、システム、装置、集積回路、コンピュータプログラムおよび記録媒体の任意な組み合わせで実現されてもよい。
【発明の効果】
【０００８】
本開示によれば、電子機器の周囲の環境に応じたコンテンツの提示の制御を行うことができる。
【図面の簡単な説明】
【０００９】
【図１】図１は、サービスの全体像を示す説明図である。
【図２】図２は、実施の形態１に係る電子機器の外観を示す模式図である。
【図３】図３は、実施の形態１に係る電子機器の構成を示すブロック図である。
【図４】図４は、実施の形態１に係る制御処理部の詳細なブロック図である。
【図５】図５は、実施の形態１に係るコンテンツ管理部の詳細なブロック図である。
【図６】図６は、実施の形態１に係る電子機器を壁に立てかけて設置する設置態様の例を示す模式図である。
【図７】図７は、実施の形態１に係る電子機器を壁に掛けて吊り下げて設置する設置態様の例を示す模式図である。
【図８】図８は、実施の形態１に係る電子機器の外観を示す斜視図である。
【図９】図９は、実施の形態１に係る電子機器の分解斜視図である。
【図１０】図１０は、実施の形態１に係る電子機器の処理を示すフロー図である。
【図１１】図１１は、実施の形態１に係る視聴環境判定処理の第一例を示すフロー図である。
【図１２】図１２は、実施の形態１に係る視聴環境判定処理の第二例を示すフロー図である。
【図１３】図１３は、実施の形態１に係る制御内容決定処理の一例を示すフロー図である。
【図１４】図１４は、実施の形態１における空間の状態と、出力される情報の例とを示す説明図である。
【図１５】図１５は、実施の形態１における人物および空間の状態の推定結果を示すテーブルの説明図である。
【図１６】図１６は、実施の形態１における、カメラによる目配せ判定を用いた制御内容決定のためのテーブルの説明図である。
【図１７】図１７は、実施の形態１における、照度計による設置環境判定を用いた制御内容決定のためのテーブルの説明図である。
【図１８】図１８は、実施の形態１における、３軸センサによる傾き判定を用いた制御内容決定のためのテーブルの説明図である。
【図１９】図１９は、実施の形態１における、上面及び下面のボタンによる設置環境判定を用いた制御内容決定のためのテーブルの説明図である。
【図２０】図２０は、実施の形態１におけるコンテンツ管理テーブルの説明図である。
【図２１】図２１は、実施の形態１における音声管理テーブルの説明である。
【図２２】図２２は、実施の形態１における視聴環境状態の変化と、コンテンツの制御との一例を示すテーブルの説明図である。
【図２３】図２３は、実施の形態１の変形例に係る電子機器およびクラウドサーバの構成を示すブロック図である。
【図２４】図２４は、実施の形態２に係る電子機器およびクラウドサーバの構成を示すブロック図である。
【図２５】図２５は、実施の形態２に係る電子機器およびクラウドサーバの処理を示すシーケンス図である。
【図２６】図２６は、実施の形態３に係る電子機器を示すブロック図である。
【図２７】図２７は、実施の形態３に係る電子機器の制御方法を示すフロー図である。
【図２８】図２８は、サービスの類型１（自社データセンタ型）を示す図である。
【図２９】図２９は、サービスの類型２（ＩａａＳ利用型）を示す図である。
【図３０】図３０は、サービスの類型３（ＰａａＳ利用型）を示す図である。
【図３１】図３１は、サービスの類型４（ＳａａＳ利用型）を示す図である。
【発明を実施するための形態】
【００１０】
（本開示の基礎となった知見）
本発明者は、「背景技術」の欄において記載した技術に関し、以下の問題が生じることを見出した。
【００１１】
（１）従来、複数のコンピュータ端末による映像再生を同期させるために、各コンピュータ端末の通信環境又はコンピュータ環境に応じたコンテンツを選択する技術がある（特許文献１参照）。
【００１２】
しかしながら、特許文献１が開示する技術では、コンピュータのハードウェア的な要因、及び、ソフトウェア的な要因を含む通信環境又はコンピュータ環境に応じたコンテンツの選択がなされるだけである。そのため、その他の要因に基づくコンテンツの選択、及び、コンテンツの提示の制御などが実現し得ないという問題がある。
【００１３】
（２）従来、ユーザの環境に応じて動作を変化させる電子機器がある。例えば、コンサート会場などの映像音響装置の調光、照明発色、又は、音場の調整は、プロの整備士が調整見本又は配置を設計して個別に対応することで、個々の機器の設定をカスタマイズすることでなされている。
【００１４】
しかし、この技術では、プロの整備士自らがユーザの環境に合わせて個別に設定することが必要であり、整備士の労力が過大であるという問題がある。
【００１５】
（３）近年、映像投影型の液晶プロジェクタであって、投影画像の適正化を図るため、台形補正を行う液晶プロジェクタがある。この液晶プロジェクタでは、画像の歪みだけは自動である程度補正することができる。
【００１６】
しかし、この液晶プロジェクタでは、液晶プロジェクタ本体が投じた画像を台形補正する程度に留まる。つまり、ユーザを取り巻く環境、又は、ユーザの行動に応じて、映像音響コンテンツの再生環境を調整することはできない。そのため、ポータブル性が重視される液晶ディスプレイの設置方法、又は、ユーザの行動に応じて変化する利用環境次第では、画像が見にくい、音声が聴きにくい、又は、ユーザが欲していない映像音響コンテンツが再生され続けるなどの問題がある。
【００１７】
本開示の一態様に係る電子機器の制御方法は、前記電子機器の周囲の環境に関する情報、又は、前記電子機器の設置態様に関する情報を含む、前記電子機器の環境情報を取得し、前記電子機器の環境情報と、前記電子機器によるコンテンツの提示に関する制御の内容との所定の対応付けを参照することで、取得した前記環境情報に対応付けられた、前記電子機器によるコンテンツの提示に関する制御を行う。
【００１８】
上記態様によれば、電子機器は、取得した環境情報と、所定の対応付けとを用いてコンテンツの提示に関する制御を行う。所定の対応付けには、電子機器の環境情報と、制御の内容とが予め対応づけられている。よって、電子機器は、取得した電子機器の環境情報に基づいてコンテンツの提示に関する制御を行い得る。このように、電子機器は、電子機器の周囲の環境に応じたコンテンツの提示の制御を行うことができる。
【００１９】
例えば、前記環境情報は、前記電子機器の周囲の環境に関する情報として、前記電子機器の周囲の人の有無、前記電子機器の周囲の人の向き、又は、前記電子機器の周囲の明るさを示す情報を含み、前記環境情報の取得は、前記電子機器の周囲の環境を感知して前記環境を示す環境値を出力するセンサによりなされてもよい。
【００２０】
上記態様によれば、環境情報は、電子機器の周囲の人の有無若しくは向き、又は、周囲の明るさというように具体的な情報を含む。また、電子機器は、環境情報を取得するセンサを用いて具体的に構成され得る。このような具体的な構成に基づいて、電子機器は、電子機器の周囲の環境に応じたコンテンツの提示に関する制御を行うことができる。
【００２１】
例えば、前記コンテンツの提示に関する制御では、前記所定の対応付けを参照することで、前記センサにより取得された前記環境情報に対応付けられた前記制御の内容である、前記電子機器により提示すべきコンテンツを選択し、選択された前記コンテンツを提示する制御を行ってもよい。
【００２２】
上記態様によれば、電子機器は、コンテンツの提示に関する制御として、複数のコンテンツのうちから提示すべきコンテンツを選択することができる。
【００２３】
例えば、前記所定の対応付けは、前記電子機器の環境情報と、当該環境情報に適合する環境情報を有する電子機器が提示すべきコンテンツの属性を示す属性情報との対応付けを含み、前記コンテンツの提示に関する制御では、前記所定の対応付けを参照することで、取得した前記環境情報に対応付けられた属性情報を有するコンテンツの選択を行ってもよい。
【００２４】
上記態様によれば、電子機器は、複数のコンテンツのうちから提示すべきコンテンツを選択する際に、コンテンツの属性情報に基づいてコンテンツを選択することができる。
【００２５】
例えば、前記所定の対応付けは、前記電子機器が提示すべきコンテンツと、当該コンテンツの許容される提示態様を示す許容情報とを含み、前記コンテンツの提示に関する制御では、前記許容情報によって許容される提示態様で提示できるコンテンツの選択を行ってもよい。
【００２６】
上記態様によれば、電子機器は、複数のコンテンツのうちから提示すべきコンテンツを選択する際に、コンテンツの提示の際におけるコンテンツの編集、調整又は加工などが許容されるか否かを示す許容情報に基づいて、コンテンツの選択をすることができる。これにより、許容されない態様でのコンテンツの提示が回避される。
【００２７】
例えば、前記所定の対応付けは、前記電子機器の環境情報の変化を示す情報と、コンテンツの提示の開始、停止又は終了との対応付けを含み、前記コンテンツの提示に関する制御では、前記所定の対応付けを参照することで、取得した前記環境情報の変化に対応付けられた、前記電子機器により提示すべきコンテンツの提示の開始、停止又は終了を行ってもよい。
【００２８】
上記態様によれば、電子機器は、コンテンツの提示に関する制御として、コンテンツの提示の開始、停止又は終了を行うことができる。
【００２９】
例えば、前記所定の対応付けは、前記電子機器の環境情報の変化を示す情報と、コンテンツの音量又は明るさの変更との対応付けを含み、前記コンテンツの提示に関する制御では、前記所定の対応付けを参照することで、取得した前記環境情報の変化に対応付けられた、前記電子機器により提示すべきコンテンツの音量又は明るさの変更を行ってもよい。
【００３０】
上記態様によれば、電子機器は、コンテンツの提示に関する制御として、コンテンツの音量又は明るさの変更を行うことができる。
【００３１】
例えば、前記環境情報は、前記電子機器の設置態様に関する情報として、設置された前記電子機器の姿勢を示す情報を含み、前記所定の対応付けは、前記電子機器の姿勢を示す情報と、当該姿勢にある前記電子機器によるコンテンツの提示に関する制御との対応付けを含み、前記コンテンツの提示に関する制御では、前記電子機器の姿勢を示す情報に対応付けられた、コンテンツの提示に関する制御を行ってもよい。
【００３２】
上記態様によれば、環境情報は、電子機器の姿勢に関する具体的な情報を含む。そして、電子機器は、電子機器の姿勢に基づいてコンテンツの提示に関する制御を行うことができる。
【００３３】
例えば、前記環境情報は、前記電子機器の設置態様に関する情報として、前記電子機器が他の電子機器とともに並べて設置されているか否かに関する情報である並置情報を含み、前記所定の対応付けは、前記電子機器の並置情報と、当該並置情報に示される設置の態様で設置された前記電子機器によるコンテンツの提示に関する制御との対応付けを含み、前記コンテンツの提示に関する制御では、前記電子機器の並置情報に対応付けられた、コンテンツの提示に関する制御を行ってもよい。
【００３４】
上記態様によれば、環境情報は、電子機器が複数並べて配置されているか否かを示す具体的な情報を含む。そして、電子機器は、電子機器の配置のされ方に基づいてコンテンツの提示に関する制御を行うことができる。
【００３５】
例えば、前記制御方法では、さらに、前記コンテンツの提示に関するログ情報を出力してもよい。
【００３６】
上記態様によれば、電子機器は、コンテンツを提示した回数、提示した時刻などを示すログ情報を出力する。出力されたログ情報は、例えばコンテンツのクリエータにフィードバックされ、コンテンツの改善、又は、新規コンテンツの作成の際に活用され得る。
【００３７】
また、本開示の一態様に係る電子機器の制御システムは、前記電子機器の周囲の環境に関する情報、又は、前記電子機器の設置態様に関する情報を含む、前記電子機器の環境情報を取得する取得部と、前記電子機器の環境情報と、前記電子機器によるコンテンツの提示に関する制御の内容との所定の対応付けを参照することで、取得した前記環境情報に対応付けられた、前記電子機器によるコンテンツの提示に関する制御を行う制御処理部とを備える。
【００３８】
これにより、上記電子機器の制御方法と同様の効果を奏する。
【００３９】
また、本開示の一態様に係る電子機器は、前記電子機器の周囲の環境に関する情報、又は、前記電子機器の設置態様に関する情報を含む、前記電子機器の環境情報を取得する取得部と、前記電子機器の環境情報と、前記電子機器によるコンテンツの提示に関する制御の内容との所定の対応付けを参照することで、取得した前記環境情報に対応付けられた、前記電子機器によるコンテンツの提示に関する制御を行う制御処理部とを備える。
【００４０】
これにより、上記電子機器の制御方法と同様の効果を奏する。
【００４１】
また、本開示の一態様に係るプログラムは、上記の電子機器の制御方法をコンピュータに実行させるためのプログラムである。
【００４２】
これにより、上記電子機器の制御方法と同様の効果を奏する。
【００４３】
また、本開示の一態様に係る電子機器は、家庭内或いは業務用施設において映像音響コンテンツを再生する電子機器であって、再生する映像音響コンテンツを管理するコンテンツ管理部と、映像音響コンテンツを画面として出力する出力部と、映像音響コンテンツと同期または非同期で再生される音声を外部上方に出力する上部スピーカと、同じく同期または非同期で再生される音声を外部下方に出力する下部スピーカと、当該ユーザからの操作指示や外部の機器との通信を司る上方送受信部と、前記電子機器が配置された空間内の情報を取得するセンサと、前記センサによって検出された情報から、少なくとも１以上のユーザまたは利用環境の状態を推定する視聴環境推定手段を含む制御処理部と、前記制御処理部は視聴状態推定手段が推定したユーザまたは利用環境の状態に応じて、前記電子機器の制御処理部は制御内容を決定する制御内容決定手段と、を備えた。
【００４４】
また、前記電子機器は、映像再生、音声再生、照明の調光、もしくはにおいを発生する機能のうちいずれかを有し、前記制御内容決定部は、前記視聴環境推定手段を含む制御処理部が前記ユーザが起床している状態と推定している間または前記ユーザが就寝状態から起床状態に変化すると推定する時、前記電子機器にて所定の映像を再生、所定の音声を再生、所定の照明の光出力を調節、もしくは所定のにおいを発生し、前記視聴環境推定手段を含む制御処理部が前記ユーザが就寝している状態と推定している間または前記ユーザが起床状態から就寝状態に変化すると推定する時、前記電子機器にて前記所定の映像を停止または映像の内容を変更、所定の音声を停止または音声の内容を変更、所定の照明の光出力を停止または動作モードを変更、もしくは所定のにおいの発生を停止またはにおいの内容を変更する。
【００４５】
また、前記センサは、前記電子機器に備えられた撮像装置、もしくは前記電子機器外部の撮像装置であり、前記撮像装置によって取得した画像を解析することで、少なくとも１以上のユーザの存在を検出し、前記視聴環境推定手段を含む制御処理部は、前記撮像装置が取得した画像を解析することで、少なくとも１以上のユーザの存在を検出し、時間的に異なる複数枚の画像の変化を解析することで、前記ユーザが起床しているか否かを推定する。
【００４６】
また、前記センサは前記電子機器に備えられた人感センサー装置、もしくは前記電子機器外部の人感センサー装置であり、前記視聴環境推定手段を含む制御処理部は、前記人感センサー装置が取得したセンサーデータを解析することで、少なくとも１以上のユーザの存在を検出し、時間的に異なる複数のセンサーデータの変化を解析することで、前記ユーザが起床しているか否かを推定する。
【００４７】
また、前記視聴環境推定手段を含む制御処理部はユーザの存在および利用環境を推定し、前記制御内容決定部は、ユーザの存在または利用環境に応じて前記電子機器の制御内容を変更する。
【００４８】
また、前記電子機器は、映像を再生する出力部および音声を再生する上部および下部スピーカ部を有し、前記制御内容決定部は、前記視聴環境推定手段を含む制御処理部がユーザが存在している状態であって、かつ、機器が斜めに配置されている状態と推定している間、前記電子機器にて所定の映像を再生しながら、上部スピーカおよび下部スピーカの音声の出力を変化調整して再生する。
【００４９】
なお、これらの包括的または具体的な態様は、システム、装置、方法、集積回路、コンピュータプログラムまたはコンピュータ読み取り可能なＣＤ−ＲＯＭなどの記録媒体で実現されてもよく、システム、装置、方法、集積回路、コンピュータプログラムまたは記録媒体の任意な組み合わせで実現されてもよい。
【００５０】
以下、実施の形態について、図面を参照しながら具体的に説明する。
【００５１】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００５２】
なお、以下各実施の形態において、特にことわりのない限り、次の言葉の意味を以下のように定義する。
【００５３】
「ユーザ」とは、電子機器が置かれた環境において、電子機器を視聴する１以上の人をいう。なお、ユーザを単に人ともいう。
【００５４】
「利用環境」とは、電子機器が空間内に置かれた状態を示す。利用環境は、例えば、床に直接置かれた状態、又は、壁にフックを用いて掛けられた状態などを示し、設置態様ともいう。また、利用環境は、外部の空間における照明の照度など外的要因で変化する状態をも含むものとする。なお、以下の説明にて「機器」および「電子機器」という言葉が記載されているが、同一の意味とする。
【００５５】
（提供するサービスの全体像）
図１の（Ａ）には、電子機器及び電子機器システムの全体像が示されている。
【００５６】
グループ１００は、例えば企業、団体、家庭等であり、その規模を問わない。グループ１００には、複数の機器１０１に含まれる機器１０１ａ、機器１０１ｂおよびホームゲートウェイ１０２が存在する。リモコン１０３は、１つまたは複数の機器１０１をコントロールするリモートコントローラである。機器１０１またはリモコン１０３は、単独でインターネットと接続不可能な機器であっても、ホームゲートウェイ１０２を介してインターネットと接続可能となる場合がある。またグループ１００には複数の機器１０１を使用するユーザ１０が存在する。なお、ここでは複数の機器１０１に、機器１０１ａと機器１０１ｂが含まれると述べたが、これに限られない。グループ１００内には多数の機器が存在することが考えられ、複数の機器１０１に含まれる機器の数は特に限定しない。なお以下の実施の形態では、機器１０１ａから機器１０１ｅまでを記載しているが、これらすべては図１に記載の複数の機器１０１に含まれるものとする。
【００５７】
データセンタ運営会社１１０には、クラウドサーバ１１１が存在する。クラウドサーバ１１１とはインターネットを介して様々な機器と連携する仮想化サーバである。クラウドサーバ１１１は、主に通常のデータベース管理ツール等で扱うことが困難な巨大なデータ（ビッグデータ）等を管理する。データセンタ運営会社１１０は、データ管理、クラウドサーバ１１１の管理、及び、それらを行うデータセンタの運営等を行っている。データセンタ運営会社１１０が行っている役務については詳細を後述する。ここで、データセンタ運営会社１１０は、データ管理又はクラウドサーバ１１１の運営等のみを行っている会社に限らない。例えば複数の機器１０１のうちの一つの機器を開発及び製造している機器メーカが、併せてデータ管理又はクラウドサーバ１１１の管理等を行っている場合は、機器メーカがデータセンタ運営会社１１０に該当する（図１の（Ｂ））。また、データセンタ運営会社１１０は一つの会社に限らない。例えば機器メーカ及び他の管理会社が共同もしくは分担してデータ管理又はクラウドサーバ１１１の運営を行っている場合は、両者もしくはいずれか一方がデータセンタ運営会社１１０に該当するものとする（図１の（Ｃ））。
【００５８】
サービスプロバイダ１２０は、サーバ１２１を保有している。サーバ１２１には、機器１０１が再生する映像音響コンテンツのうち、映像とセットで管理されるタグを含む複数の映像コンテンツと、音とセットで管理されるタグを含む複数の音コンテンツが格納されているものとする。映像とセットで管理されるタグは、映像の内容を端的に示す自然言語で表現されたものが一般的であるが、自然言語表現に限らず、検索ワードの高速検索など、自然言語がハッシュタグ化されたバイナリデータ表現のものも含み、管理運用されることが想定される。また、音とセットで管理されるタグは、映像とセットで管理されるタグと同様のタグであって、音の内容に関するものが想定される。なお、ここで言うサーバ１２１とは、その規模は問わず、例えば、個人用ＰＣ内のメモリ等も含む。また、サービスプロバイダ１２０がサーバ１２１を保有していない場合もある。
【００５９】
なお、上記サービスにおいてホームゲートウェイ１０２は必須ではない。例えば、クラウドサーバ１１１が全てのデータ管理を行っている場合等は、ホームゲートウェイ１０２は不要となる。また、家庭内のあらゆる機器がインターネットに接続されている場合のように、それ自身ではインターネットと接続不可能な機器は存在しない場合もある。
【００６０】
次に、上記サービスにおける情報の流れを説明する。
【００６１】
まず、グループ１００の機器１０１ａ又は機器１０１ｂは、各ログ情報をデータセンタ運営会社１１０のクラウドサーバ１１１に送信する。クラウドサーバ１１１は、機器１０１ａ又は機器１０１ｂのログ情報を集積する（図１の（ａ））。ここで、ログ情報とは複数の機器１０１の、例えば運転状況又は動作日時等を示す情報、機器に搭載するカメラ又はセンサーから取得する機器周辺の状態又は周辺環境に関する情報である。例えば、電子機器に搭載するカメラによる機器周辺の画像を、個人情報を削除した状態で分析した結果、より具体的には、どの映像音響コンテンツでユーザが画面側を注視して映像に見入っていたかのログ、電子機器に搭載する人感センサーにより機器周辺にユーザが存在していたかの履歴、又は、機器の映像音響コンテンツの再生履歴又は機器に搭載した照度センサによる機器周辺の照明環境の周期性を示すログ情報などであるが、これらのものに限らず、電子機器本体あるいは周辺空間設備に配置されるあらゆる機器から取得が可能なすべての情報をいう。ログ情報は、インターネットを介して複数の機器１０１自体から直接クラウドサーバ１１１に提供される場合もある。また、複数の機器１０１から一旦ホームゲートウェイ１０２にログ情報が集積され、ホームゲートウェイ１０２からクラウドサーバ１１１に提供されてもよい。
【００６２】
次に、データセンタ運営会社１１０のクラウドサーバ１１１は、集積したログ情報を一定の単位でサービスプロバイダ１２０に提供する。ここで、一定の範囲とは、データセンタ運営会社１１０が集積した情報を整理してサービスプロバイダ１２０に提供することのできる単位でもよいし、サービスプロバイダ１２０が要求した単位でもよい。一定の単位と記載したが、時間的に一定でなくてもよく、状況に応じて提供する情報量が変化する場合もある。ログ情報は、必要に応じてサービスプロバイダ１２０が保有するサーバ１２１に保存される（図１の（ｂ））。そして、サービスプロバイダ１２０は、ログ情報をユーザに提供するサービスに適合する情報に整理し、ユーザに提供する。提供するユーザは、複数の機器１０１を使用するユーザ１０でもよいし、映像音響コンテンツを制作するクリエータ２０でもよい。なお、ユーザへのサービス提供方法は、例えば、サービスプロバイダ１２０から直接ユーザへ提供されてもよい（図１の（ｆ）及び（ｅ））。また、ユーザへのサービス提供方法は、例えば、データセンタ運営会社１１０のクラウドサーバ１１１を再度経由して、ユーザに提供されてもよい（図１の（ｃ）及び（ｄ））。また、データセンタ運営会社１１０のクラウドサーバ１１１がログ情報をユーザに提供するサービスに適合する情報に整理し、サービスプロバイダ１２０に提供してもよい。
【００６３】
なお、ユーザ１０とクリエータ２０とは、別の人でも同一の人でもよい。ここで、クリエータ２０は、サービスプロバイダ１２０のサーバ１２１上で提供可能なクリエータコミュニティサービスを利用可能であり、クリエータ２０は、自身が制作した映像音響コンテンツについて映像と音響とを同期または非同期に登録管理することができ、機器１０１への配信可否を設定することができる。ここでは説明の簡単化のためクリエータ２０が配信可否を設定できると説明したが、実施の別の形態としては、クリエータ２０を管理する管理者がクリエータコミュニティサービスに存在し、当該管理者が配信の可否を設定することも考えうるものとする。また、クリエータコミュニティサービスは、機器１０１から得られたログ情報を利用し、クリエータ２０に登録した映像音響コンテンツと連動するログ情報の分析結果を提供し、登録済みの映像音響コンテンツの改善または新規に登録する映像音響コンテンツの制作の参考情報としてリアルタイムにフィードバックを得て活用することができる。上記ログ情報の分析結果は、再生した映像音響コンテンツのユーザによる評価結果、再生された時間帯又は再生時間、他の映像音響コンテンツにスイッチングしたポイントを示す再生ログ、機器１０１が配置された場所設備情報、再生された際の音響音量、再生設定に用いられた照度、人の視線又は表情を分析することによる注視の度合いを示す目配せログなどが含まれる。
【００６４】
（実施の形態１）
本実施の形態において、電子機器の周囲の環境に応じたコンテンツの提示の制御を行う電子機器について説明する。
【００６５】
本実施の形態に係る電子機器は、電子機器の周囲の環境に関する情報、又は、電子機器の設置態様に関する情報を含む、電子機器の環境情報を取得する取得部と、電子機器の環境情報と、電子機器によるコンテンツの提示に関する制御の内容との所定の対応付けを参照することで、取得した環境情報に対応付けられた、電子機器によるコンテンツの提示に関する制御を行う制御処理部とを備える。
【００６６】
また、上記電子機器が備える機能を、互いに通信可能に接続された複数の装置により分担することで制御システムとしても構成され得る。つまり、本実施の形態に係る制御システムは、電子機器の制御システムであって、電子機器の周囲の環境に関する情報、又は、電子機器の設置態様に関する情報を含む、電子機器の環境情報を取得する取得部と、電子機器の環境情報と、電子機器によるコンテンツの提示に関する制御の内容との所定の対応付けを参照することで、取得した環境情報に対応付けられた、電子機器によるコンテンツの提示に関する制御を行う制御処理部とを備える。
【００６７】
また、本実施の形態に係る電子機器の制御方法は、電子機器の周囲の環境に関する情報、又は、電子機器の設置態様に関する情報を含む、電子機器の環境情報を取得し、電子機器の環境情報と、電子機器によるコンテンツの提示に関する制御の内容との所定の対応付けを参照することで、取得した環境情報に対応付けられた、電子機器によるコンテンツの提示に関する制御を行う。
【００６８】
以下に電子機器の構成、及び、電子機器の制御方法について具体的に説明する。なお、電子機器を単に機器ともいう。
【００６９】
［機器の構成］
図２は、本実施の形態に係る機器１０１の外観を示す模式図である。図３は、本実施の形態に係る機器１０１の構成を示すブロック図である。図４は、本実施の形態に係る制御処理部の詳細なブロック図である。図５は、本実施の形態に係るコンテンツ管理部の詳細なブロック図である。図６及び図７は、本実施の形態に係る機器１０１の設置態様の例を示す模式図である。
【００７０】
なお、本実施の形態では、図１における機器１０１として、スピーカ及びディスプレイを搭載した装置の例を記載して説明するがこれに限られるものではない。
【００７１】
図２の（ａ）は、機器１０１の正面図である。図２の（ｂ）は、機器１０１の側面図である。図２の（ｃ）は、機器の背面図である。また、機器１０１の設置態様の一例として、機器１０１を壁に立てかけて設置する設置態様が図６に示されている。また、機器１０１の設置態様の別の一例として、機器１０１を壁に吊り下げて設置する設置態様が図７に示されている。
【００７２】
図２の（ａ）、及び、図３に示されるように、機器１０１は、センサ２０１と、出力部２０２と、制御処理部２０３と、コンテンツ管理部２０４と、上部スピーカ２０５と、下部スピーカ２０６と、情報送受信部２０７とを備える。なお、機器１０１について、図２に示されるように上下方向、左右方向、及び、前後方向を定義する。
【００７３】
センサ２０１は、機器１０１の周囲の環境に関する情報、又は、機器１０１の設置態様に関する情報を含む、機器１０１の環境情報を取得する取得部の一例である。より具体的には、センサ２０１は、機器１０１の周囲の環境を感知して、環境を示す環境値を出力するセンサである。なお、センサ２０１は、カメラ、ボタン、又は、機器１０１の姿勢を検知するためのセンサを含む。
【００７４】
図２の（ａ）に示されるように、センサ２０１の一例としてのセンサ２０１Ｆは、機器１０１の一部に配置される。センサ２０１Ｆが配置される位置は、例えば、機器１０１における上部であるがこれに限られない。
【００７５】
センサ２０１Ｆは、例えば、環境値としての二次元画像を検出するカメラなどである。センサ２０１Ｆが検出する二次元画像は、二次元の可視画像または二次元の赤外画像（熱画像ともいう）などである。センサ２０１Ｆは、機器１０１から見て正面方向の二次元画像を検出し、後述する制御処理部２０３に出力する。なお、センサ２０１Ｆは、必ずしも二次元画像を検出するものでなくてもよい。センサ２０１Ｆは、人又は物体の存在有無のみを検出する人感センサであってもよいし、照度を検出するセンサ、滞留するにおい成分を検出するセンサなど、空間の状態を検出するセンサを想定したものでもよい。例えば、センサ２０１Ｆが、においセンサであれば、空間に置かれた果物（りんご、かき、オレンジ又はバナナなど）、植物（薔薇、ゆり、胡蝶蘭など）、人が使う香水若しくは体臭、又は、空間で使われている芳香剤などを検出できる。この場合、機器１０１は、空間に対する人間の心地よさ又は違和感などをにおいによって把握することができ、検出したにおいに関連する映像音響コンテンツを再生するよう制御することで、果物又は植物に関連した映像又は音響でリラックス効果を高め、また、使う香水に近しい価値観の映像音響コンテンツを選定することで空間価値の向上を演出することができる。
【００７６】
なお、機器１０１は、センサ２０１に代えて、又は、センサ２０１とともに、インターネット上のＷｅｂサイトなどから情報を取得する情報取得部（不図示）を備えていてもよい。そして、機器１０１は、インターネット上のＷｅｂサイトから情報取得部によって、天気に関する情報等を取得してもよい。取得した情報は、上記の環境値に代えて、又は、環境値と共に、コンテンツの提示に関する制御に用いられ得る。
【００７７】
出力部２０２は、図２の（ａ）に示すとおり、例えば機器１０１の正面に配置される液晶パネルなどであり、後述する制御処理部２０３から出力された情報である画像又は動画像をユーザ１０に対して出力つまり表示する。
【００７８】
制御処理部２０３は、機器１０１の環境情報と、機器１０１によるコンテンツの提示に関する制御の内容との所定の対応付けを参照することで、取得した環境情報に対応付けられた、機器１０１によるコンテンツの提示に関する制御を行う処理部である。例えば、機器１０１の内部に備えられるＣＰＵ（Ｃｅｎｔｒａｌ  Ｐｒｏｃｅｓｓｉｎｇ  Ｕｎｉｔ）又はマイコンなどである。
【００７９】
制御処理部２０３は、センサ２０１Ｆ、出力部２０２もしくはコンテンツ管理部２０４から情報を取得して、取得した情報を基に判断等の処理を行う。また、制御処理部２０３は、センサ２０１Ｆ、出力部２０２、もしくはコンテンツ管理部２０４に情報を出力し、各構成を制御する。図４には制御処理部２０３の詳細な機能構成の一部を示す。図４に示されるように、制御処理部２０３は、視聴環境推定部２０３Ａと、制御内容決定部２０３Ｂとを含む。各機能構成の処理については後述する。なお、制御処理部２０３の一部の機能、例えば視聴環境推定部２０３Ａの一部または全部の処理を実行する機能が、センサ２０１Ｆの一例であるカメラ又はセンサに含まれていてもよい。
【００８０】
コンテンツ管理部２０４は、各構成から出力された情報、及び、外部から取得した情報等を一時的に記録もしくは蓄積する。コンテンツ管理部２０４は、例えば、機器１０１の内部に備えられるメモリなどである。
【００８１】
図５にはコンテンツ管理部２０４の詳細な機能構成の一部を示す。図５に示されるように、コンテンツ管理部２０４は、視聴環境蓄積ＤＢ（データベース）２０４Ａと、コンテンツ管理ＤＢ（データベース）２０４Ｂとを含む。各機能構成の特徴については後述する。なお、コンテンツ管理部２０４は、必須の構成ではない。例えば、機器１０１以外の外部装置が、コンテンツ管理部２０４の視聴環境蓄積ＤＢ２０４Ａ及びコンテンツ管理ＤＢ２０８の一方又は両方を備えており、機器１０１と当該外部装置が情報を有線通信もしくは無線通信でやり取りすることで代用してもよい。
【００８２】
上部スピーカ２０５は、機器１０１の本体上部に配置されるスピーカである。
【００８３】
下部スピーカ２０６は、機器１０１の本体下部に配置されるスピーカである。
【００８４】
センサ２０１には、本体の背面の上下それぞれの端部には、床への設置などを感圧式で検出するセンサ２０１ＢＨ及び２０１ＢＬが配置されていてもよい。センサ２０１ＢＨ及び２０１ＢＬは、機器１０１の姿勢を検知するセンサとして機能する。センサ２０１ＢＨ及び２０１ＢＬは、物体により押圧又は接触される場合にＯＮ信号を出力し、そうでない場合にＯＦＦ信号を出力する。ＯＮ信号又はＯＦＦ信号は環境値に相当する。
【００８５】
図６に示されるように、壁に対して機器１０１の本体を立てかける場合において、機器１０１が床に置かれた際にセンサ２０１ＢＬが床と接することで、置かれたことを検知することができる。なお、ここでは感圧式センサで検知する例を示したが、センサの検知方式はこれに限らず、静電容量式又は照度照合方式のような他の手段を用いてもかまわない。
【００８６】
なお、センサ２０１ＢＨ及び２０１ＢＬの代わりに３軸センサを用いて機器１０１の姿勢を検知することもできる。３軸センサは、予め定められた互いに直交する３軸それぞれに対する角度を検出する。この検出角度を用いて任意の軸又は面に対する角度を算出することもできる。例えば、上記３軸それぞれに対する角度を用いて、機器１０１の水平面からの立上がり角θを算出することができる。この立上がり角θを用いて機器１０１の姿勢が表現され得る。立上がり角θは、環境値の一例である。
【００８７】
また、図２の（ｃ）に示されるように、機器１０１がフック掛け穴Ｈ１を有しており、壁に固定されたフックＦ１がフック掛け穴Ｈ１に挿入されることで、機器１０１を壁に掛けて吊り下げるようにして設置することもできる（図７参照）。この場合、センサ２０１ＢＨおよびセンサ２０１ＢＬにより壁又は床が検出されないことから、機器１０１が壁に吊り下げられていると判定することができる。
【００８８】
なお、図６に示されるように機器１０１が壁に立て掛けられて設置される場合、上部スピーカ２０５が出力する音声Ｃ２０５より、下部スピーカ２０６が出力する音声Ｃ２０６の音量を大きくしてもよい。このように音量を調整することで、適切な視聴環境をユーザ１０に提供するためである。
【００８９】
なお、機器１０１は、さらに、コンテンツの再生に関するログ情報を出力するログ出力部（不図示）を備えてもよい。ログ出力部が出力するログ情報は、クリエータ２０にフィードバックされるログ情報として活用され得る。
【００９０】
図８は、本実施の形態に係る機器１０１の外観を示す斜視図である。図９は、本実施の形態に係る機器１０１の分解斜視図である。図８及び図９に示される構成について以下で詳細に説明する。
【００９１】
機器１０１は、外装フレームＰ１０１と、構造フレームＰ１０２と、バックカバーＰ１０３と、装飾部材Ｐ１０４と、スピーカネットＰ１１１と、スピーカベース板Ｐ１１２と、スピーカＰ１１３と、カバーガラスＰ１２１と、表示パネルＰ１２２とを備える。
【００９２】
外装フレームＰ１０１は、アルミニウムなどの金属材料により形成される外装フレームである。外装フレームＰ１０１は、着脱可能な構造としてもよく、この場合、表示パネルＰ１２２等とは独立に、機器１０１の外観を変更できる利点がある。なお、外装フレームＰ１０１に、ＬＣＤ（Ｌｉｑｕｉｄ  Ｃｒｙｓｔａｌ  Ｄｉｓｐｌａｙ）又はＯＬＥＤ（Ｏｒｇａｎｉｃ  Ｌｉｇｈｔ  Ｅｍｉｔｔｉｎｇ  Ｄｉｏｄｅ）を配備してもよい。
【００９３】
構造フレームＰ１０２は、アルミニウムなどの金属材料により形成される構造フレームである。構造フレームＰ１０２は、機器１０１の機械的構造を維持するための骨組みである。
【００９４】
バックカバーＰ１０３は、機器１０１の構成要素を背面側から覆う、エンクロージャとしてのカバーである。
【００９５】
装飾部材Ｐ１０４は、バックカバーＰ１０３の装飾用の部材である。装飾部材Ｐ１０４は、布製（ファブリック）、金属製、木製などの任意の部材であり、機器１０１の外観を演出する部材である。装飾部材Ｐ１０４は、例えば、放熱孔などの機能的な形状を外面から隠すことで美しい外観を確保するために用いられ得る。装飾部材Ｐ１０４は、取り外し可能とし、ユーザ１０の好みに応じてカスタマイズされ得るように構成されてもよい。
【００９６】
スピーカネットＰ１１１は、スピーカＰ１１３を前面側から覆うカバー部材である。スピーカネットＰ１１１は、例えば、金属又は樹脂に微細孔を設けたものであり、外面からスピーカＰ１１３が視認されにくくする。また、スピーカネットＰ１１１は、裏面に紗をはることで内部構造がさらに視認されにくくすることもできる。スピーカネットＰ１１１は、音透過性のある材料を使用することが好ましく、Ｆａｂｒｉｃを用いるなどカスタマイズされてもよい。
【００９７】
スピーカベース板Ｐ１１２は、スピーカＰ１１３及びスピーカネットＰ１１１を保持する板体である。
【００９８】
スピーカＰ１１３は、機器１０１を前面側から見て上部の左右の２箇所に上部スピーカ２０５として搭載され、また、下部の左右の２箇所に下部スピーカ２０６として搭載される。スピーカＰ１１３は、１０Ｈｚ程度の低音域から１００ｋＨｚ程度の高音域までの音を出力する。
【００９９】
カバーガラスＰ１２１は、表示パネルＰ１２２を前面側から覆うカバー部材である。カバーガラスＰ１２１は、表示パネルＰ１２２に対してダイレクトボンディング加工をして、空気層なく接着することで、表面の均一な外観と表示性能を両立する。なお、カバーガラスＰ１２１のガラス形状を工夫することで、カバーガラスＰ１２１の端いっぱいまで画像を表示するブラックマトリクスレスに対応し得る。
【０１００】
表示パネルＰ１２２は、画像を表示する表示パネルである。表示パネルＰ１２２は、例えば、ＬＣＤ又はＯＬＥＤである。表示パネルＰ１２２は、出力部２０２に相当する。
【０１０１】
以上、図２〜図９を用いて各構成について説明したが、機器１０１がこれらの構成全てを備えている必要はない。すなわち、外部の機器がこれらの構成のうち一部を備えており、機器１０１と情報をやり取りすることで代用してもよい。また機器１０１は上記した各構成以外の構成を備えていてもよい。
【０１０２】
［機器の動作・処理の流れ］
図１０は、本実施の形態に係る機器１０１の処理を示すフロー図である。
【０１０３】
ステップＳ４０１にて、センサ２０１は、機器１０１の前方向の可視画像又は熱画像等の二次元画像を検出し、検出した二次元画像を制御処理部２０３に出力する。ここで、二次元画像の検出のタイミング又は頻度は、特に限定されない。例えば５分又は１０分などの所定の間隔ごとに検出してもよいし、制御処理部２０３がユーザ１０の存在が検出されたときに検出頻度を上げるように制御してもよい。なお、センサ２０１が取得する情報は必ずしも二次元画像に関する情報ではなくてもよい。例えばセンサ２０１が取得した空間内のセンシング情報であってもよい。
【０１０４】
ステップＳ４０２にて、制御処理部２０３は、ユーザ１０から操作を受け付けたか否かを判定する。ユーザ１０からの操作を受け付けた場合（ステップＳ４０２でＹｅｓ）には、ステップＳ４２１に進み、そうでない場合（ステップＳ４０２でＮｏ）には、ステップＳ４０３に進む。
【０１０５】
ステップＳ４０３にて、制御処理部２０３は、オートモードに遷移するか否かを決定する。ここで、オートモードとは、センサ２０１による検知結果に基づいて視聴環境を推定し、制御内容を決定するモード（後述のステップＳ４１１〜Ｓ４１３の動作をするモード）をいう。オートモードに遷移するか否かは、例えばステップＳ４０２で受け付けた操作が、オートモードに遷移するための操作として予め定められた操作であるか否かに基づいて判定され得るが、これに限定されない。オートモードに遷移すると決定した場合（ステップＳ４０３でＹｅｓ）には、ステップＳ４１１に進み、そうでない場合（ステップＳ４０３でＮｏ）には、ステップＳ４０４に進む。
【０１０６】
ステップＳ４０４にて、制御処理部２０３は、通常モードでのコンテンツの再生を行う。ここで、通常モードとは、オートモードとは異なるモードであって、予め定められた１以上のコンテンツの再生を行うモードである。なお、通常モードでの再生は、１以上のコンテンツが、予め定められた順序で再生されてもよいし、ランダムに再生されてもよいし、その他、任意の態様で再生されてよい。
【０１０７】
ステップＳ４０５にて、制御処理部２０３は、機器１０１の電源をＯＦＦする指示を受信したか否かを判定する。上記指示を受信した場合（ステップＳ４０５でＹｅｓ）には、図１０に示される一連の処理を終了する。上記指示を受信していない場合（ステップＳ４０５でＮｏ）には、ステップＳ４０２を再び実行する。
【０１０８】
ステップＳ４１１にて、制御処理部２０３の視聴環境推定部２０３Ａは、センサ２０１を動作させる。
【０１０９】
ステップＳ４１２にて、制御処理部２０３の視聴環境推定部２０３Ａは、センサ２０１から出力された情報である二次元画像又はセンシング情報などを基に、空間にユーザ１０がいるかどうか、又は、空間の照度が規定値以下かどうか、などの観点で空間の状態を推定する。視聴環境推定部２０３Ａが推定する情報は、例えば、機器１０１の周囲の環境に関する情報であり、機器１０１の周囲の人の有無、機器１０１の周囲の人の向き、又は、機器１０１の周囲の明るさを示す情報である。ステップＳ４１２の詳細な処理は、後で説明する。
【０１１０】
ステップＳ４１３にて、制御処理部２０３の制御内容決定部２０３Ｂは、ステップＳ４０２にて視聴環境推定部２０３Ａが推定したユーザ１０の有無、ユーザ１０の人数、又は、ユーザ１０の状態に応じて、機器１０１の制御内容を決定する。ステップＳ４１３の詳細な処理は、後で説明する。
【０１１１】
ステップＳ４２１にて、制御処理部２０３は、チャネルの指定を受信する。ここで、チャネルとは、特定のキーワード又はジャンルに関連するコンテンツの集合、又は、特定の提供者が提供するコンテンツの集合などを意味する。制御処理部２０３は、例えば、ユーザ１０がリモコン１０３による操作により指定するキーワード又はジャンルを受信する。
【０１１２】
ステップＳ４２２にて、制御処理部２０３は、ステップＳ４２１で受信したチャネルの指定に基づいて、コンテンツの再生設定を変更する。
【０１１３】
上記ステップＳ４０６、Ｓ４１３、又は、Ｓ４２２を終了したら、図１０に示される一連の処理を終了する。
【０１１４】
次に、図１０のステップＳ４１２の詳細な処理について２つの例を示しながら説明する。
【０１１５】
図１１は、本実施の形態に係る視聴環境判定処理の第一例を示すフロー図である。図１１に示される処理は、図１０のステップＳ４１２に含まれる処理の一例である。
【０１１６】
ステップＳ５０１にて、制御処理部２０３の視聴環境推定部２０３Ａは、センサ２０１から出力された二次元画像又はセンシング情報などの情報を解析することで、ユーザ１０の有無、又は、ユーザ１０の人数などを判断する。
【０１１７】
ユーザ１０の有無、又は、ユーザ１０の人数の判断方法に関しては特に限定しない。例えば、取得された時刻の異なる複数の画像の変化、つまり、画像間の差分からユーザ１０が存在するか否かを判断してもよい。取得された時刻を取得時刻ともいう。取得時刻の異なる複数の画像の変化、つまり、画像間の差分とは、例えば、複数の画像間で所定の時間内に所定の輝度値が閾値以上変化した画素領域又は差分領域などを示す。当該差分領域は、画像中の動きのある領域であると推定できる。このように、取得時刻の異なる複数の画像間の差分を検出することで、空間内における、動きがあるユーザ１０の存在を特定できる。また、画像中における、差分が検出された領域の数を計測することで、ユーザ１０の人数を特定することができる。また、ユーザ１０の有無を判断するその他の方法として、例えば可視画像の場合、画像中の色情報、輝度の特徴、又は、形状の特徴等から画像におけるユーザ１０の領域を特定してもよい。また、熱画像の場合、画像中の温度に関する情報を基に画像におけるユーザ１０の領域を特定してもよい。
【０１１８】
ステップＳ５０２にて、視聴環境推定部２０３Ａは、ステップＳ５０１の判断結果を踏まえ、画像を取得した空間内にユーザ１０が存在するか否かを判断し、その後の処理を分岐する。ユーザ１０が存在する場合（ステップＳ５０２でＹｅｓ）には、ステップＳ５０３の処理に進む。一方でユーザ１０が存在しない場合（ステップＳ５０２でＮｏ）には、ステップＳ４１２の処理を抜け、視聴環境推定部２０３Ａは、ユーザ１０が存在しない旨の情報を制御内容決定部２０３Ｂに出力する。
【０１１９】
ステップＳ５０３にて、視聴環境推定部２０３Ａは、画像中のユーザ１０と特定した領域に関して、ユーザ１０の視線が機器１０１に向いているか否かを特定する。ここで、機器１０１に向いているか否かを特定する方法は特に限定しない。
【０１２０】
例えば、視聴環境推定部２０３Ａは、画像中においてステップＳ５０１にてユーザ１０と特定された領域に対して、顔の要素を分析し、ユーザ１０の視線が機器１０１を向いているか否かを判断してもよい。その場合、事前に、例えば機器１０１の出荷時点に、画像中におけるユーザ１０に対する一般的な視線の判定ができることが前提とされる。なお、さらに特定環境に居住するユーザ１０の特徴がコンテンツ管理部２０４などに記録されていることが認識率向上のために望ましい。また、機器１０１を使用するユーザ１０およびユーザ１０の特徴を事前に取得し保持しておき、画像中のユーザ１０と特定した領域と比較することで特定の人か否かを判断してもよい。この事前の取得を、事前登録又はキャリブレーションともいう。これによって、より検出精度が向上する。
【０１２１】
ステップＳ５０４にて、視聴環境推定部２０３Ａは、ステップＳ５０３で特定したユーザ１０の状態を、機器１０１の視聴環境の推定結果とする。ユーザ１０の状態の具体例は、注視の度合いを示す目配せに関する状態である。
【０１２２】
ここで、ユーザ１０の状態を推定する方法は特に限定しない。例えば、取得時刻が異なる複数枚の画像の変化を解析することで、ユーザ１０が機器１０１を注視しているか、又は、偶発的に機器１０１の方を向いているかを推定してもよい。この場合、時間的な変化が大きければ「偶発的」と推定し、時間的な変化が小さければ「注視」と推定する。また、センサ２０１が二次元画像を取得しないセンサである場合には、センサが取得したセンサ情報の時間的な変化を基に、注視の状態であるのか、それ以外の状態（睡眠などを含む状態）であるのかを推定してもよい。
【０１２３】
ステップＳ５０４の処理を実施した後、もしくは、ステップＳ５０２でユーザ１０が存在しないと判断された（ステップＳ５０２でＮｏ）後、ステップＳ４１２の処理を完了しステップＳ４１３に進む。
【０１２４】
なお、ステップＳ５０２でユーザ１０が存在すると判断された（ステップＳ５０２で「Ｙｅｓ」）後にステップＳ５０４の処理を実行してステップＳ４１２の処理を完了した場合、視聴環境推定部２０３Ａは、制御内容決定部２０３Ｂに、（ｉ）ユーザ１０の種類、又は、人の有無、（ｉｉ）存在するユーザ１０の数、（ｉｉｉ）存在するユーザ１０の状態（注視、又は、その他：睡眠など）、に関する情報のうち少なくともいずれか一つの情報を出力する。ここで、ユーザの種類とは、ユーザの性別又は年齢などを意味し、個人宅での使用の場合には、当該個人宅の主人であるか、夫人であるか、又はゲストであるかの別などを意味する。
【０１２５】
また、ステップＳ５０２でユーザ１０が存在しないと判断された（ステップＳ５０２で「Ｎｏ」）後にステップＳ４１２の処理を完了した場合、視聴環境推定部２０３Ａは、制御内容決定部２０３Ｂに、（ｉｖ）空間内にユーザ１０が存在しない旨の情報を出力する。
【０１２６】
図１２は、本実施の形態に係る視聴環境判定処理の第二例を示すフロー図である。図１２に示される処理は、図１０のステップＳ４１２に含まれる処理の一例である。
【０１２７】
ステップＳ５１１にて、制御処理部２０３の視聴環境推定部２０３Ａは、センサ２０１から出力された二次元画像又はセンシング情報などの情報を解析することで、ユーザ１０の有無、又は、ユーザ１０の人数などを判断する。
【０１２８】
ステップＳ５１２にて、視聴環境推定部２０３Ａは、センサ２０１としての照度センサにより機器１０１の周囲の照度を取得し、取得した照度が規定値以下であるか否かを判定する。ここで、照度の規定値は、例えば、薄暗い室内に相当する３００〜５００ルクス程度である。照度が規定値以下である場合（ステップＳ５１２でＹｅｓ）には、ステップＳ５１３に進み、そうでない場合（ステップＳ５１２でＮｏ）には、図１２に示される一連の処理を終了する。
【０１２９】
ステップＳ５１３にて、視聴環境推定部２０３Ａは、ステップＳ５１２で検出した照度を機器１０１の視聴環境の推定結果とする。ステップＳ５１３を終了したら、図１２に示される一連の処理を終了する。
【０１３０】
図１３は、本実施の形態に係る制御内容決定処理の一例を示すフロー図である。図１３を参照しながら、制御処理部２０３が有する制御内容決定部２０３Ｂの詳細を示す。
【０１３１】
ステップＳ６０１にて、制御内容決定部２０３Ｂは、制御内容決定のためのテーブルをコンテンツ管理部２０４から取得する。当該テーブルは、図１６〜図２０（後述）に示されるテーブルである。
【０１３２】
ステップＳ６０２にて制御内容決定部２０３Ｂは、ステップＳ６０１にて取得したテーブルを参照し、ステップＳ４１２にて推定した視聴環境に基づいて、コンテンツの提示に関する制御内容を決定する。
【０１３３】
ステップＳ６０３にて、制御内容決定部２０３Ｂは、ステップＳ６０２で決定した制御内容に基づいてコンテンツの提示に関する制御をする。具体的には、制御内容決定部２０３Ｂは、ステップＳ６０２で決定したコンテンツを取得して、取得したコンテンツを出力部２０２により出力してユーザ１０に提示する。
【０１３４】
コンテンツの提示に関する制御では、例えば、所定の対応付けを参照することで、センサ２０１により取得された環境情報に対応付けられた制御の内容である、機器１０１により提示すべきコンテンツを選択し、選択されたコンテンツを提示する制御を行ってもよい。
【０１３５】
図１４は、本実施の形態における空間の状態と、出力される情報の例とを示す説明図である。より具体的には、図１４では、視聴環境推定部２０３Ａが、ステップＳ５０１からＳ５０４までの処理により推定した空間内の状態を示す図を上段に示しており、また、制御内容決定部２０３Ｂへ出力する情報の例を示す図を下段に示している。図１４の（ａ）は、１人の起床中のユーザ１０と、１匹の犬とが、空間内に同時に存在する状態を示している。図１４の（ｂ）は、１人の起床中のユーザ１０と、２匹の犬とが、空間内に存在する状態を示している。視聴環境推定部２０３Ａは、これらの状態からの推定により、上記（ｉ）〜（ｉｖ）の少なくともいずれかの情報を制御内容決定部２０３Ｂに出力する。
【０１３６】
なお、ステップＳ５０４にて視聴環境推定部２０３Ａは、「起床」又は「注視」という状態に代えて、その他の情報を推定してもよいし、「起床」又は「注視」という状態に加えて、その他の情報を推定してもよい。
【０１３７】
例えば、図１４の（ａ）及び（ｂ）の場合、視聴環境推定部２０３Ａは、機器１０１に対するユーザ１０の向きを推定している。ここで、ユーザ１０の向きは、例えば、正面又は横向きなどである。ユーザ１０の向きを推定する方法は、既知の手法を採用することができ、特に限定しない。例えば、顔認識技術等を採用し、顔の向きを推定することでそのユーザ１０の向きを推定してもよい。向きを推定することにより、ユーザ１０が機器１０１の方向を向いているか否か、すなわち、機器１０１に関心を持っているか否かを推定することができるので、後述する制御内容決定部２０３Ｂでの制御内容決定において、ユーザ１０にとってより適切な制御、又は、ユーザ１０の状態により適合する制御を決定することができる。よって、空間内にユーザ１０が存在すると推定された場合には、加えてユーザ１０の向きを推定するようにすることが好ましい。
【０１３８】
さらに、例えば、図１４の（ａ）のように、そのユーザ１０の行動を推定してもよい。ここで、ユーザ１０の行動とは、読書中、食事中、又は、歩行中などである。行動を推定する方法に関しては既知の手法を採用することができ、特に限定しない。取得時刻の異なる複数の画像間の差分を算出することで、ユーザ１０が動いているか、又は、静止しているかを判断することができるので、読書中もしくは歩行中等の行動を推定できる。また所定の場所に静止している場合、その場所によって食事中なのか読書中なのか等の行動を推定してもよい。行動を推定することによっても、ユーザ１０が、機器１０１に関心を持っている状態か否かを推定することができる。また、ユーザ１０の精神状態も推定できるので、後述する制御内容決定部２０３Ｂでの制御内容決定において、ユーザ１０にとってより適切な制御、又は、ユーザ１０の状態により適合する制御を決定することができる。ここで、ユーザ１０の精神状態とは、落ち着きたい精神状態、又は、活発な精神状態などである。よって、起床中のユーザ１０が存在する場合に、加えて行動を推定するようにすることが好ましい。
【０１３９】
図１５は、本実施の形態における人物および空間の状態の推定結果を示すテーブルの説明図である。より具体的には、図１５は、視聴環境推定部２０３Ａが、制御内容決定部２０３Ｂに出力する情報を管理したテーブル８０１の例を示す。これらの情報はテーブル８０１として、コンテンツ管理部２０４の視聴環境蓄積ＤＢ２０４Ａにログ情報として蓄積されてもよいし、一時的に記録され適宜消去されてもよい。視聴環境蓄積ＤＢ２０４Ａにログ情報として蓄積されている場合は、ある程度空間内のユーザ１０の状態に関するパターンを学習することができる。よって、処理する情報量の削減、又は、視聴環境推定部２０３Ａの推定精度の向上などに貢献することができる。また、このように、視聴環境蓄積ＤＢ２０４Ａによってテーブル化して管理する場合は、視聴環境推定部２０３Ａが推定した情報を制御内容決定部２０３Ｂに直接に出力するのではなく、推定した情報をコンテンツ管理部２０４の視聴環境蓄積ＤＢ２０４Ａに、一旦、出力するようにしてもよい。そして、ステップＳ４１３では制御内容決定部２０３Ｂが視聴環境蓄積ＤＢ２０４Ａから情報を取得し、制御内容を決定してもよい。
【０１４０】
図１５の例では、センサ２０１から制御処理部２０３の視聴環境推定部２０３Ａに、１５分おきに検出結果が出力されており、１５分おきのユーザ状態の推定結果がテーブル化されている。なお、センサ２０１が検出する頻度、及び、視聴環境推定部２０３Ａが推定する頻度は１５分に限られない。また、図１５のテーブル８０１では、図１４に示した各状態に対応するログ情報の例が「状態の例」として記載されている。例えば、図１４の（ａ）の状態は、図１５のログ３に対応しており、１人のユーザ１０が存在しており、１人のユーザ１０が起床中であり横向きで読書中であるという状態が視聴環境蓄積ＤＢ２０４Ａのテーブル８０１に管理されている。なお、この「状態の例」は説明のために記載しているものであり、テーブル８０１に蓄積されている必要はない。
【０１４１】
以上、視聴環境推定部２０３Ａによって、空間内にユーザ１０が存在するか否か、及び、ユーザ１０が存在する場合にはそのユーザ１０の人数及び状態等を推定し、制御内容決定部２０３Ｂに出力する。なお、視聴環境推定部２０３Ａは、必ずしもステップＳ５０１からＳ５０４の順番に処理を実行しなくてもよい。また一部のステップを省略してもよい。また各ステップをまとめて実施してもよい。すなわち視聴環境推定部２０３Ａは、結果として上記（ｉ）〜（ｉｖ）の情報のうち少なくともいずれかを制御内容決定部２０３Ｂに出力できれば、その処理の順序又は内容に関して異なる手段を用いても構わない。
【０１４２】
以降において、コンテンツ管理部２０４が管理する制御内容決定のためのテーブルの例を示しながら、制御内容を決定する処理について説明する。
【０１４３】
図１６は、本実施の形態における、カメラによる目配せ判定を用いた制御内容決定のためのテーブル９０１Ａの説明図である。
【０１４４】
テーブル９０１Ａは、所定の対応付けの一例である。テーブル９０１Ａは、機器１０１の環境情報の変化を示す情報と、コンテンツの提示の開始、停止又は終了との対応付けを含む。また、コンテンツの提示に関する制御では、テーブル９０１Ａを参照することで、取得した環境情報の変化に対応付けられた、機器１０１により提示すべきコンテンツの提示の開始、停止又は終了を行う。
【０１４５】
テーブル９０１Ａは、より具体的には、センサ２０１としてカメラを搭載し、ユーザ１０の状態としての目配せ行動に応じて機器１０１の出力部２０２で実行する動作を規定したテーブルの例である。
【０１４６】
制御内容決定部２０３Ｂがテーブル９０１Ａを参照する場合、視聴環境推定部２０３Ａによって、前状態と後状態とにおいて、人が「存在しない」もしくは「睡眠」であると判断されていた場合、制御内容決定部２０３Ｂは、機器１０１の出力動作として「規定時間以上変化がなければ再生を停止する」動作を決定する。ここで、人が「存在しない」もしくは「睡眠」であると判断されるのは、例えば、図１１のステップＳ５０２においてユーザ１０が存在しないと判断された場合である。また、「前状態」及び「後状態」は、それぞれ、判断時の前の所定の時点と、判断時の後の所定の時点とをいう。
【０１４７】
また、視聴環境推定部２０３Ａによって、人が存在しており、かつ、前状態と後状態とで「正面」が継続すると判断された場合、制御内容決定部２０３Ｂは、機器１０１の出力動作として「当該映像音響コンテンツの再生継続」動作を決定する。なお、このとき、コンテンツを視聴するユーザ１０が機器１０１に向かって正面を向いている状態にあったことに基づいて、ユーザ１０が注視してコンテンツを見ていたものと判断し、当該映像音響コンテンツに対する注目ポイントを向上してもよい。この注目ポイントは、当該映像音響コンテンツに紐づいて管理され、当該映像音響コンテンツを制作したクリエータ２０にフィードバックされ得る。また、注目ポイントに限らず、当該映像音響コンテンツが再生された際の音量、又は、総再生時間など、ユーザ１０が視聴することに伴って生ずるあらゆる情報を記録しておけば、当該映像音響コンテンツを制作したクリエータ２０は、当該映像音響コンテンツの改善または次回制作する映像音響コンテンツの検討要素として活用することができる。
【０１４８】
また、視聴環境推定部２０３Ａによって、人が存在しており、かつ、前状態と後状態とで「横」を向いた状態が続いていると判断された場合、制御内容決定部２０３Ｂは、機器１０１の出力動作として「当該映像音響コンテンツの再生継続」動作を決定する。このとき、上記の「正面を向く状態の継続」の場合と同様に、フィードバックを記録できる。ユーザ１０が横を向いた状態を継続しているときは、コンテンツが心地よいＢＧＶ（Ｂａｃｋ  Ｇｒｏｕｎｄ  Ｖｉｓｕａｌ）であるとユーザ１０に認識されていると考えられ、横を向いた状態である累計時間をクリエータ２０にフィードバックすることができる。
【０１４９】
また、視聴環境推定部２０３Ａによって、人が「正面又は横」から「なし（存在しない）」状態に変化した場合、制御内容決定部２０３Ｂは、機器１０１の出力動作として「映像音響コンテンツの再生継続」動作を決定する。これは、ユーザ１０が存在しなくなったことが、一時的な退室によるものである可能性があるため、比較的短時間後にユーザ１０が戻ってくることを想定して、様子見として行う動作ともいえる。
【０１５０】
また、その逆に、ユーザ１０が暫く存在せず、映像音響コンテンツの再生が停止していた場合、前状態「なし（存在しない）」から後状態「正面又は横」に状態が変化した場合、制御内容決定部２０３Ｂは、機器１０１の出力動作として「停止していた映像音響コンテンツの再生再開」動作を決定する。
【０１５１】
また、前状態及び後状態ともに「なし（存在しない）」の状態である場合、この状態から規定時間以上変化がなければ、制御内容決定部２０３Ｂは、機器１０１の出力動作として、「再生停止」動作を決定する。
【０１５２】
なお、制御内容決定部２０３Ｂが制御内容を決定するために取得するテーブルは、テーブル９０１Ａのみに限られない。
【０１５３】
図１７は、本実施の形態における、照度計による設置環境判定を用いた制御内容決定のためのテーブル９０１Ｂの説明図である。テーブル９０１Ｂは、所定の対応付けの一例である。テーブル９０１Ｂは、機器１０１の環境情報の変化を示す情報と、コンテンツの音量又は明るさの変更との対応付けを含む。また、コンテンツの提示に関する制御では、所定の対応付けを参照することで、取得した環境情報の変化に対応付けられた、機器１０１により提示すべきコンテンツの音量又は明るさの変更を行う。
【０１５４】
テーブル９０１Ｂは、センサ２０１として照度計を搭載し、機器１０１が設置された環境、より具体的には、機器１０１の周囲の明るさの状態変化に応じて機器１０１の出力部２０２で実行する動作を規定したテーブルの例である。
【０１５５】
テーブル９０１Ｂは、テーブル９０１Ａと同様に、前状態と後状態とを管理している。
【０１５６】
機器１０１の周囲の明るさが「低」つまり暗い状態から「中又は高」つまり比較的明るい状態に変化した場合、制御内容決定部２０３Ｂの判定として「周囲の明るさの変化と連動し、ユーザ１０が軽快と感じる傾向にあるトーンアップした映像音響コンテンツに切り替え、必要に応じて出力部２０２のバックライトを明るくする」動作を決定する。機器１０１の周囲の明るさが上記のように変化するのは、例えば、ユーザ１０の起床時、又は、ユーザ１０が不在であった部屋にユーザ１０が入室した時、などに生じ得る。このとき、再生環境としての照度がいかほどであったかの照度ログの実績をフィードバック記録として記録することができ、任意にクリエータ２０が活用することができる。同様に、前状態と後状態との変化に応じて、出力を変化させるものとする。
【０１５７】
また、機器１０１の周囲の明るさが「高」つまり明るい状態から「中又は低」つまり比較的暗い状態に変化した場合、制御内容決定部２０３Ｂの判定として「周囲の明るさの変化と連動し、落ち着いた映像音響コンテンツに切り替え、必要に応じて出力部２０２のバックライトを暗くする」動作を決定する。
【０１５８】
また、例えば、機器１０１の周囲の明るさが「低」つまり暗い状態を維持している場合、制御内容決定部２０３Ｂの判定として「規定時間以上変化がなければ再生停止」動作を決定する。
【０１５９】
また、前状態及び後状態ともに「低」の状態である場合、この状態から規定時間以上変化がなければ、制御内容決定部２０３Ｂは、機器１０１の出力動作として、「再生停止」動作を決定する。
【０１６０】
また、例えば、機器１０１の周囲の明るさが「中」つまり中程度の状態から、「高」つまり明るい状態に変化した場合には、制御内容決定部２０３Ｂの判定として「彩度の高いコンテンツに切り替える」動作を決定する。
【０１６１】
図１８は、本実施の形態における、３軸センサによる傾き判定を用いた制御内容決定のためのテーブル９０１Ｃの説明図である。テーブル９０１Ｃは、所定の対応付けの一例である。テーブル９０１Ｃは、機器１０１の姿勢を示す情報と、当該姿勢にある機器１０１によるコンテンツの提示に関する制御との対応付けを含む。また、コンテンツの提示に関する制御では、機器１０１の姿勢を示す情報に対応付けられた、コンテンツの提示に関する制御を行う。
【０１６２】
テーブル９０１Ｃは、センサ２０１として３軸センサを搭載し、機器１０１が設置された環境、より具体的には、機器１０１本体の傾き状態に応じて機器１０１の出力部２０２で実行する動作を規定したテーブルの例である。
【０１６３】
テーブル９０１Ｃは、立ち上がり角θに基づいて機器１０１本体の設置状態を管理している。機器１０１本体の設置状態が「水平面からの立上がり角θが０度以上、６０度未満」である場合、制御内容決定部２０３Ｂは、判定により、「機器が転倒する可能性があるとし、ユーザ１０に、文字、音又は光を用いてアラート通知する」動作と、「当該映像音響コンテンツの再生継続」動作とを決定する。このとき、再生環境として本体の設置状態ログの実績（平置き再生）をフィードバック記録として記録することができる。クリエータ２０は、このフィードバック記録を任意に活用することができる。なお、この設置状態を、平置き状態ともいう。
【０１６４】
また、機器１０１本体の設置状態が「水平面からの立上がり角θが６０度以上、９０度未満」である場合、制御内容決定部２０３Ｂは、判定により、本体が斜めにたてかけられた状態では、上部と下部のスピーカでユーザ１０の耳までの距離が異なることから、視聴するユーザ１０にとっての均衡をはかるよう「上部スピーカの音量よりも下部スピーカの音量を大きくする」動作を決定する。なお、この設置状態を、立て掛け状態ともいう。
【０１６５】
また、機器１０１本体の設置状態が「水平面からの立上がり角θが９０度以上」である場合、制御内容決定部２０３Ｂは、判定により、「上部スピーカと下部スピーカで音量を同じにする」動作を決定する。なお、この設置状態を、壁掛け状態、又は、屋根天井設置状態ともいう。
【０１６６】
図１９は、本実施の形態における、上面及び下面のボタンによる設置環境判定を用いた制御内容決定のためのテーブル９０１Ｄの説明図である。テーブル９０１Ｄは、機器１０１の設置状態、つまり、平置き状態、壁掛け状態、立て掛け状態、又は、屋根天井設置状態に応じて、機器１０１の出力部２０２で実行する動作を規定したテーブルの例である。
【０１６７】
ここで、機器１０１は、ボタンセンサである上部ボタン及び下部ボタンを搭載しているとする。なお、上部ボタンはセンサ２０１ＢＨに相当し、下部ボタンはセンサ２０１ＢＬに相当する。
【０１６８】
テーブル９０１Ｄは、上部ボタンおよび下部ボタンの状態に基づいて機器１０１本体の設置状態を管理している。機器１０１本体の設置状態が、上部ボタン及び下部ボタンともに「ＯＮ」である場合、つまり、設置状態が立て掛け状態である場合、制御内容決定部２０３Ｂは、判定により、「上部スピーカの音量よりも下部スピーカの音量を大きくする」動作を決定する。本体が斜めになって壁に立て掛けられた状態では、上部スピーカ２０５からユーザ１０の耳までの距離と、下部スピーカ２０６からユーザ１０の耳までの距離とが異なることから、視聴するユーザ１０にとっての視点で均衡を図るためである。
【０１６９】
また、機器１０１本体の設置状態が、上部ボタン及び下部ボタンともに「ＯＦＦ」である場合、つまり、設置状態が壁掛け状態又は平置き状態である場合、制御内容決定部２０３Ｂは、判定により、「上部スピーカ２０５と下部スピーカ２０６とで音量を同じにする」動作を決定する。
【０１７０】
図２０は、本実施の形態におけるコンテンツ管理テーブルであるテーブル１００１の説明図である。テーブル１００１は、所定の対応付けの一例である。テーブル１００１は、機器１０１の環境情報と、当該環境情報に適合する環境情報を有する機器１０１が提示すべきコンテンツの属性を示す属性情報との対応付けを含み、コンテンツの提示に関する制御では、上記所定の対応付けを参照することで、取得した環境情報に対応付けられた属性情報を有するコンテンツの選択を行ってもよい。さらに、上記所定の対応付けは、機器１０１が提示すべきコンテンツと、当該コンテンツの許容される提示態様を示す許容情報とを含み、コンテンツの提示に関する制御では、許容情報によって許容される提示態様で提示できるコンテンツの選択を行ってもよい。
【０１７１】
テーブル１００１は、コンテンツ管理部２０４に管理されており、図１６〜図１９で説明した出力するコンテンツを管理するテーブルである。また、テーブル１００１に記載されているコンテンツは、コンテンツ管理ＤＢ２０８に保持されているものもあれば、放送局からネットワーク又は放送電波を介して配信されるものがあってもよい。
【０１７２】
テーブル１００１では、各コンテンツに対して、コンテンツ種別、コンテンツＩＤ（ＣＩＤ）、名称、音源の有無、音重畳の可否、ＢＧＭ（Ｂａｃｋ  Ｇｒｏｕｎｄ  Ｍｕｓｉｃ）メタ情報、注目ランク、及び、許容情報が対応付けられて管理されている。
【０１７３】
コンテンツ種別は、当該コンテンツの種別又はカテゴリである。コンテンツ種別は、図９で制御内容決定部２０３Ｂが決定した出力内容と対応している。
【０１７４】
コンテンツＩＤは、当該コンテンツを一意に識別し得る識別子である。
【０１７５】
名称は、当該コンテンツの名称である。
【０１７６】
音源の有無は、当該コンテンツに紐づけられる音源の有無を示す情報である。
【０１７７】
音重畳の可否は、当該コンテンツへの音の重畳の可否を示す情報である。
【０１７８】
ＢＧＭメタ情報は、当該コンテンツにＢＧＭとして音を重畳する場合の音源ソースの検索に用いることができるメタ情報である。
【０１７９】
注目ランクは、当該コンテンツを利用するユーザ１０のお気に入り度などのレーティング行為から得られる注目度を示す情報である。注目ランクは、個々のユーザ１０が注視して視聴したかどうかの注目ポイントとは別に管理するのが基本だが、注目ポイントと連動して注目ランクを加工又は補正してもよい。
【０１８０】
許容情報は、当該コンテンツを制作したクリエータ２０が意図した出力に関する許容情報であり、当該コンテンツの提示の際に、当該コンテンツの編集、調整又は加工などが許容されるか否かを、その編集等ごとに示す情報である。許容情報は、例えば、コンテンツの正方形形状への切り出しの可否を示す情報である正方形切出し可否情報、又は、つまり、コンテンツを構成する映像の長手が縦方向になる向きでの再生の可否を示す情報を示す縦設置再生可否情報のような、コンテンツの形状又は向きの調整についての許否に関する情報を含む。また、許容情報は、環境設定、つまり、コンテンツを出力するときの環境についての適否に関する情報を含む。
【０１８１】
例えば、ステップＳ６０２にて制御内容決定部２０３Ｂがコンテンツの再生を出力内容として決定していた場合、テーブル１００１のＣ１１などのコンテンツのいずれかが選択される。
【０１８２】
なお、コンテンツを選択する方法は特に限定しない。例えば、コンテンツによって再生する時間が決まっているものがある場合は、そのときの時間又はコンテンツ種別に対応するものを選択すればよい。
【０１８３】
また、ステップＳ４１２の状態推定にて、ユーザ１０の顔の向き、ユーザ１０の行動又は表情などの詳細な状態を推定している場合は、当該状態に合わせて制御内容決定部２０３ＢがＢＧＭメタ情報、注目ランク、環境設定などを加味してコンテンツを選択するようにしてもよい。例えば、図１４の（ｂ）のように空間内に１人のユーザ１０と２匹の犬とが存在し、機器１０１に対して正面を向いていると視聴環境推定部２０３Ａにより推定された場合は、テーブル１００１のＢＧＭメタ情報のうちユーザ１０の注視を受けてじっくり閲覧されることが想定される「じっくり」といったキーワードが設定されているコンテンツＣ１１を選択する。ここでは、例えばＣ１１の「ペーパークラフト」というコンテンツが選択される。
【０１８４】
また、図１４の（ａ）のように空間内に１人のユーザ１０と１匹の犬とが存在し、人が機器１０１に対して横を向いており、かつ、読書中であると視聴環境推定部２０３Ａにより推定していた場合は、メタ情報のうち読書を邪魔しないような音楽とマッチする「スロー」といったキーワードが設定されているコンテンツＣ１３を選択する。ここでは例えばＣ１３の「職人技  時計」というコンテンツが選択される。なお、コンテンツの選択基準は上で説明したものに限られず、コンテンツ名をキーワード検索により選択してもよいし、映像コンテンツの内容を直接的に示すメタ情報を管理テーブルに追加して管理してもよい。
【０１８５】
また、上記の説明では、制御内容決定部２０３Ｂが、ユーザ１０の有無又は状態に合わせて、各コンテンツに紐づくＢＧＭメタ情報と対応づけてコンテンツを選択する例を説明したがこれに限られない。例えば、ユーザ１０、サービス管理者またはクリエータ２０が予め嗜好又は想定する行動に合わせて、状態に対応づけて出力するコンテンツのカテゴリを設定しておいてもよい。これによれば、例えば、あるユーザ１０は、図１４の（ｂ）のような正面を向いた状態のときに、ユーザ１０が好きな音楽を再生し、その音楽を音源として重畳が可能な映像コンテンツをコンテンツ候補として設定することもできる。ここでは、Ｃ１１、Ｃ１３、Ｃ１５のコンテンツが、音の重畳が可又は必須となっていることからコンテンツ候補として設定される。このように、より一層、ユーザ１０の趣味又は趣向に適合した映像音響コンテンツを、ユーザ１０の設定した状態又はタイミングで出力することができる。
【０１８６】
また、ユーザ１０が存在する場合は、機器１０１の制御内容決定部２０３Ｂがコンテンツを選択するのではなく、複数のコンテンツから、状態に応じた複数のコンテンツ候補を表示してレコメンドし、ユーザ１０に選択させるようにしてもよい。
【０１８７】
本実施の形態ではあらゆるコンテンツが機器１０１内に保持されていることを想定しているので基本的にはコンテンツ管理ＤＢ２０８にあらゆるコンテンツが管理されている。よって、制御内容決定部２０３Ｂは、ステップＳ６０３にてコンテンツ管理ＤＢ２０８からコンテンツを取得する。
【０１８８】
ただし、上でも記載したが、各コンテンツは、コンテンツ管理ＤＢ２０８に保持されているコンテンツであってもよいし、放送局からネットワーク又は放送電波を介して配信されるコンテンツであってもよい。テーブル１００１は、各コンテンツのソースに関しても管理している。例えば、Ｃ１１〜Ｃ５２は少なくとも数秒以上の連続した映像コンテンツの実態データを持つものであるので、コンテンツ管理ＤＢ２０８に実データが管理されているものがあれば、実データは別のところに保持され、その保持された領域へのアクセスパス情報だけが管理されているパターンも存在し得る。制御内容決定部２０３Ｂは、コンテンツがコンテンツ管理ＤＢ２０８に管理されていない場合、ネットワーク経由でコンテンツを取得するように機器１０１を制御する。また、再生するコンテンツは、写真のような静止画でもよく、制御内容決定部２０３Ｂは、機器１０１のコンテンツＤＢ２０４Ｂにて写真のような静止画も管理することができ、映像コンテンツとして取得再生制御することができる。
【０１８９】
なお、写真は、ユーザ１０が撮影した写真でもよいし、サービス管理者又はクリエータ２０が登録した写真でもよく、ユーザ１０が機器１０１内に記録したもの全てを含んでよい。また、「写真」が選択された場合は、複数の写真をスライドショー形式で順次に再生させるように制御することもできるし、クリエータ２０が意図した順序又は再生時間を含むプレイリストを細かく管理制御することもできる。また、ユーザ１０の状態に応じて、スライドショー再生速度又は再生方法を変更してもよい。また、ユーザ１０の状態に応じて再生すべき写真を複数選択して再生するように制御してもよい。
【０１９０】
なお、テーブル１００１の例では、出力するコンテンツとして映像コンテンツと音響コンテンツの組み合わせで管理する例のテーブルで記載したが、管理方法はこれに限られない。例えば、音声のみのコンテンツが含まれていてもよいし、映像コンテンツが必ず音響データを内包してもよい。
【０１９１】
なお、ここでは、各映像音響コンテンツに対する注目ランクを、１を最大として正規化された数値で表現したが、管理方法はこれに限らず、累積加点で整数管理してもよい。また、相互に再生順序の関係性が深いコンテンツ同士をリンクし、Ｗｅｂサイトの相互リンクによる検索性重み付けと同様に、リンクの関係性を重視した管理方法としてもよい。
【０１９２】
なお、テーブル１００１に「許容情報」が管理されているように、各コンテンツの機器における再生出力設定に限らず、機器１０１の前方のユーザ１０の存在、もしくは、ユーザ１０の属性又は行動に応じて、出力部２０２での出力方法を調整又は変更してもよい。
【０１９３】
なお、許容情報のうち、正方形の切り出しを例に説明したが、たとえば、１６：９の映像コンテンツのうち、正方形に切り出すことの許否に限らず、クリエータ２０の意図に反しない範囲での制限有の表現方法として、たとえば、編集不可領域を映像コンテンツの画面領域の中に時系列に対応して設定し、その編集不可領域を保持した上で映像を切り出すことを許容するような編集制御を行うようにしてもよい。
【０１９４】
なお、許容情報のうち、クリエータ２０が意図する環境設定を例として説明する。Ｃ１１は「周囲を暗く」と設定しており、機器１０１の本体の外枠に備わる照明機能、機器１０１の周囲でネットワークを介して連動可能な照明など、ユーザ１０の視聴空間で制御可能なものと連動して周囲を暗くするシステム制御ができるものとする。また、Ｃ１２は「サイズＭ以上」と設定しており、機器１０１の再生画面としてサイズがＭ以上でなければ、当該映像音響コンテンツＣ１２は再生不可とする。また、Ｃ１３は「照度明るく」と設定しており、機器１０１の出力部２０２のバックライトを通常の設定よりも明るめに設定して再生することにより、当該映像コンテンツの欠点であった原映像が暗い問題をクリエータ２０の意図として補填する設定が可能となる。また、Ｃ１４は「フレーム色：赤」と設定されており、たとえば、機器１０１の本体の外枠のフレームが物理的に赤であるもののみで再生できるようにする、または、外装フレームＰ１０１がＬＥＤ又はＯＬＥＤなど色又は模様を発光により表現できる素材である場合、当該コンテンツと連動してフレーム色を出力部２０２とは独立に「赤」に変化させて当該コンテンツを出力部２０２にて再生するよう制御することもできる。また、Ｃ１５は「宿泊施設不向き」と設定しており、機器１０１が設置された場所が宿泊施設であれば、当該映像音響コンテンツは不向きなものとして再生候補から外すよう制御できる。
【０１９５】
図２１は、本実施の形態における音声管理テーブルであるテーブル１１０１の説明である。図２１に示されるテーブル１１０１は、音声のカテゴリに応じた出力方法が紐付けられたテーブルを示す。テーブル１１０１も、コンテンツ管理部２０４に管理されている。
【０１９６】
テーブル１１０１では各音源種別に応じたカテゴリに応じて、音楽ＩＤ（Ｍｕｓｉｃ  ＩＤ）、その音源の概要を示すテキストおよびキーワード、対応するファイルへのパス情報が管理されている。カテゴリは、例えば、品格、伝統又は好奇心などがある。
【０１９７】
例えば、テーブル１００１における「品格」が設定されたコンテンツが選択された場合、制御内容決定部２０３Ｂは、テーブル１１０１を参照し、品格に最適な音源候補からキーワードでよりマッチングが取れる音源を選定出力する。
【０１９８】
かかる構成によれば、機器１０１は、ユーザ１０の現在の状態に基づき、提示するコンテンツを自動的に制御できる。例えば、機器１０１は、機器１０１が壁に立て掛けられた状態を検知して、上部スピーカ２０５より下部スピーカ２０６の音量を自動で大きく調整することで、ユーザ１０の視聴環境を最適化することができる。また、機器１０１は、ユーザ１０の目配せを分析し、ユーザ１０の注目度合いに応じて映像音響コンテンツを選定切り替えることができる。また、機器１０１は、ユーザ１０の視聴状態をログとして管理し、クリエータ２０にフィードバックすることで当該映像音響コンテンツの改良または新規に作成する映像音響コンテンツの制作につなげることができ、ユーザ１０にとっての快適な映像音響コンテンツの再生環境およびクリエータ２０による継続的な映像音響コンテンツの制作環境を操作なく手間なく提供することができる。
【０１９９】
なお、同時に再生させる映像コンテンツと音響コンテンツとの組み合わせの決定には、さまざまな指標を用いることもできる。この指標には、例えば、コンテンツに紐付けられる指標であって、連続値により表現される指標を採用し得る。より具体的には、映像コンテンツ及び音響コンテンツそれぞれに対してユーザ１０が向ける注意の度合いを示す推定指標を採用し得る。この場合、ユーザ１０が指標の範囲を指定し、ユーザ１０により指定された範囲に含まれる指標が紐付けられた映像コンテンツと音響コンテンツとをともに再生することができる。このようにすることで、ユーザ１０が同じ程度の注意を向けると推定される映像コンテンツと音響コンテンツとをともに再生させることができる。
【０２００】
なお、本実施の形態の一例では、ユーザ１０の状態又は行動を推定して当該状態又は行動に合わせて機器の制御を行う方法を説明したが、図２２に示すように予め機器の制御順序を設定しておいて、ユーザ１０の行動を変更するように促すようにしてもよい。図２２には、ユーザ１０が存在することが分かっている状態で、予めユーザ１０が１５分おきの行動を促すためのターゲット行動を設定して作成したテーブル１２０１を示す。テーブル１２０１に示すように、ユーザ１０が予めターゲット行動を設定しておくと、制御内容決定部２０３Ｂがコンテンツを決定してテーブル１２０１を完成させ、テーブル１２０１に従ってコンテンツを再生するように出力部２０２を制御する。これにより、ターゲット行動をユーザ１０が行うように、コンテンツの再生によりユーザ１０を誘導することができる。例えば、テーブル１２０１が設定されている場合、１２：００にはユーザ１０が再入室することが自明であれば、再入室時に、アップテンポで何かを作り出したくなる映像と音楽として、Ｃ１５のコンテンツが再生される。これにより、例えば、親が外出中に、自動再生される映像音響コンテンツによって、子供の行動を誘導したりコントロールしたりすることができる。
【０２０１】
なお、１５分ごとのターゲット行動を設定した例を説明したがこれに限られず、ユーザ１０が任意の所定時間ごとに設定すればよい。また、ユーザ１０が予め所定時間ごとの再生コンテンツを直接設定してもよい。また、これらのターゲット行動に関して推奨パターンが複数の機器１０１のコンテンツ管理部２０４に保持されていてもよい。ここで、推奨パターンとは、教育優先パターン、運動優先パターン、又は、睡眠優先パターンなどを含む。これにより、ユーザ１０は、外出時に機器１０１からレコメンドされる複数の推奨パターンから一つを選択しておくだけで、映像音響コンテンツによりユーザ１０の行動を促進又はコントロールすることができる。
【０２０２】
すなわち、機器１０１の制御内容決定部２０３Ｂは、内部に制御内容の順序を時系列に管理するスケジュール機能を有し、スケジュールは、ユーザ１０に対して指示したいターゲット行動に応じて出力を規定し、時系列に記載された規定時刻に当該ターゲット行動に沿った所定の映像または音声を出力する。かかる構成によれば、スケジュールに規定された順序で所定の映像または音声を出力できるため、例えば、親が不在の際でも、勉強、運動又は睡眠を促す映像音響コンテンツを再生でき、生活リズムを形成することで、ユーザ１０に対して想定する生活パターンへの誘導ができる。
【０２０３】
また、本実施の形態では、視聴環境推定部２０３Ａが推定した、その時々の状態に対応する制御内容を制御内容決定部２０３Ｂが決定するように制御したが、これに限られない。例えば、制御内容決定部２０３Ｂは、視聴環境推定部２０３Ａが推定した状態が変化したタイミングに応じて最適な制御内容を決定し出力部２０２を制御するようにしてもよい。
【０２０４】
なお、環境情報は、機器１０１の設置態様に関する情報として、機器１０１が他の機器１０１とともに並べて設置されているか否かに関する情報である並置情報を含んでいてもよい。また、上記所定の対応付けは、機器１０１の並置情報と、当該並置情報に示される設置の態様で設置された機器１０１によるコンテンツの提示に関する制御との対応付けを含んでいてもよい。そして、コンテンツの提示に関する制御では、機器１０１の並置情報に対応付けられた、コンテンツの提示に関する制御を行ってもよい。
【０２０５】
（実施の形態１の変形例）
図２３は、本変形例に係る機器１０１およびクラウドサーバ１１１の構成を示すブロック図である。図２３は、実施の形態１における制御処理部２０３の機能のうちの一部を、クラウドサーバ１１１、サーバ１２１、もしくはホームゲートウェイ１０２などの外部装置にて処理する構成における各装置の構成図を示す。本変形例では、機器１０１がクラウドサーバ１１１と情報をやり取りしながら処理を行う。なお、クラウドサーバ１１１の代わりに、サーバ１２１又はホームゲートウェイ１０２を用いても同様の説明が成立する。
【０２０６】
以下、実施の形態１に示した構成図と異なる点を中心に説明する。また、実施の形態１に示した構成と同じ構成には、同じ符号を付け説明を省略する。
【０２０７】
図２３の機器１０１において、図３の機器１０１と異なる点は、制御処理部１３０１が視聴環境推定部２０３Ａを備えていない点と、情報送受信部１３０２を備えている点とである。
【０２０８】
情報送受信部１３０２は、ネットワークを介して、クラウドサーバ１１１と情報を送受信するための構成であり、本変形例においては必須の構成である。情報送受信部１３０２は、一般的な通信モジュールなどを採用すればよく、その仕様は特に限定しない。また、情報を送受信するための通信方式等に関しても特に限定しない。
【０２０９】
クラウドサーバ１１１は、制御処理部１３０３と、情報送受信部１３０４と、コンテンツ管理部１３０５とを備える。
【０２１０】
制御処理部１３０３は、視聴環境推定部１３０３Ａを含む。視聴環境推定部１３０３Ａの動作は、実施の形態１にて説明した動作と同様である。
【０２１１】
情報送受信部１３０４は、ネットワークを介して、機器１０１と情報を送受信する構成である。
【０２１２】
コンテンツ管理部１３０５は、視聴環境蓄積ＤＢ２０４Ａと、コンテンツＤＢ２０４Ｂとを含む。視聴環境蓄積ＤＢ２０４Ａと、コンテンツＤＢ２０４Ｂとの基本的な機能、並びに、記録及び管理するデータ等は、実施の形態１で説明したとおりである。
【０２１３】
本変形例における各装置及び各構成の動作又は処理の流れは、実施の形態１にて図４〜図１２を用いて説明した動作又は処理の流れと同様である。すなわち本変形例では、機器１０１の情報送受信部１３０２と、クラウドサーバ１１１の情報送受信部１３０４とによって情報を適宜送受信することで、基本的には図４に示すとおりの順に処理をしていく。よって実施の形態１と同様の作用効果が本変形例においても発揮される。
【０２１４】
実施の形態１と変形例とで主に異なる点は、実施の形態１における視聴環境推定部２０３Ａをクラウドサーバ１１１が視聴環境推定部１３０３Ａとして備えていること、及び、基本な情報の蓄積をクラウドサーバ１１１のコンテンツ管理部１３０５が行う点である。これにより、機器１０１側で行う処理を削減できるので、機器１０１側に高機能なプロセッサを搭載する必要がない。また、機器１０１側で各テーブル又はコンテンツを記録及び管理しておく必要がないので、機器１０１側の記録容量を削減できる。すなわち機器１０１の処理能力が低い場合であっても、ユーザ１０の状態等を推定した最適な機器制御が実行できる。
【０２１５】
さらに、クラウドサーバ１１１が機器１０１からのログ情報を取得することができるので、更なる情報解析、又は、大量の情報を利用した学習、情報の活用が期待できる。さらにはクラウドサーバ１１１にて他のユーザ１０が保持している機器から取得した情報を併せて解析することで新たな価値あるサービスの提供が可能となる。
【０２１６】
また、本変形例においても、機器１０１およびクラウドサーバ１１１は、上記の各構成以外の構成を備えていてもよい。
【０２１７】
（実施の形態２）
［各機器の構成］
図２４には、実施の形態２における機器１０１ｃ、機器１０１ｄ、機器１０１ｅ、クラウドサーバ１１１の構成を示す。以下各機器の構成について実施の形態１および実施の形態１の変形例と同様の構成に関しては同様の符号を付して、説明する。また実施の形態１および実施の形態１の変形例と同様の構成に関しては一部説明を省略する。
【０２１８】
なお、実施の形態１の変形例と同様、クラウドサーバ１１１の代わりに、サーバ１２１又はホームゲートウェイ１０２を用いても同様の説明が成立する。
【０２１９】
機器１０１ｃは、センサ２０１ｃと、情報送受信部１３０２ｃとを備える。これらの構成の基本的な機能は、それぞれ、図２３にて説明したセンサ２０１と、情報送受信部１３０２と同様である。ここでは、機器１０１ｃとしては、いかなる機器を用いてもよい。実施の形態１と同様に映像音響コンテンツを再生できる電子機器でもよいし、センサおよび情報送受信部のみを備えた専用端末、又は、ユーザ１０が身につける端末、いわゆるウェアラブル端末でもよい。なお、機器１０１ｃとしてウェアラブル端末を用いる場合、センサ２０１ｃは、活動量計、歩数計、血圧計、心拍計、発汗計測又は脳波計測などの生体情報を取得するセンサであってもよい。ここで、生体情報は、バイタル情報、行動情報、ストレス情報などを含む。
【０２２０】
また、うなり又は鳴き声などの音声を直接的または間接的に取得する収音マイクなどであってもよい。また、機器１０１ｃは、図示していないその他の構成を備えていてもよい。
【０２２１】
機器１０１ｄは、出力部２０２ｄと、情報送受信部１３０２ｄとを備える。本実施の形態においては、例えば機器１０１ｄは、センサを搭載しないディスプレイ若しくはＬＥＤ（Ｌｉｇｈｔ  Ｅｍｉｔｔｉｎｇ  Ｄｉｏｄｅ）の通知のみを行う機器、又は、音声だけを出力するスピーカなどを想定する。ここで、上記ディスプレイ、ＬＥＤ又はスピーカ等が出力部２０２ｄに相当する。また、情報送受信部１３０２ｄは、図２３にて説明した情報送受信部１３０２と同様である。なお、機器１０１ｄは、図示していないその他の構成を備えていてもよい。
【０２２２】
機器１０１ｅは、入出力部２０２ｅと、情報送受信部１３０２ｅとを備える。本実施の形態においては、例えば機器１０１ｅとして操作入力を可能とする操作画面（ＧＵＩ：Ｇｒａｐｈｃａｌ  Ｕｓｅｒ  Ｉｎｔｅｒｆａｃｅ）を備える電子機器を想定する。情報送受信部１３０２ｅは、図１３にて説明した情報送受信部１３０２と同様である。なお、機器１０１ｅは、図示していないその他の構成を備えていてもよい。
【０２２３】
クラウドサーバ１１１は、制御処理部１４０１と、情報送受信部１３０４と、コンテンツ管理部１４０４とを備える。
【０２２４】
制御処理部１４０１は、実施の形態１で説明した機器１０１ａが備える制御処理部２０３と基本的には同様であり、視聴環境推定部１４０２、制御内容決定部１４０３を含む。視聴環境推定部１４０２、制御内容決定部１４０３の具体的なユーザ状態推定方法、制御内容の決定方法に関しては後述する。
【０２２５】
情報送受信部１３０４は、図２３で説明した構成と同様であるので説明を省略する。
【０２２６】
コンテンツ管理部１４０４は、視聴環境蓄積ＤＢ２０４Ａと、コンテンツ管理ＤＢ２０８と、嗜好傾向ＤＢ１４０５を含む。視聴環境蓄積ＤＢ２０４Ａ、コンテンツ管理ＤＢ２０８に関しては実施の形態１で説明したものと同様なので説明を省略する。嗜好傾向ＤＢ１４０５が管理する情報に関しては後述する。
【０２２７】
［各機器の動作、処理の流れ］
図２５には、本実施の形態における各機器の動作及び処理の流れを示すシーケンス図である。以下、図１０に示した実施の形態１のフローチャートと異なる点を中心に説明していく。
【０２２８】
ステップＳ１５０１にて、機器１０１ｃのセンサ２０１ｃが空間内の状態を検出する。このステップＳ１５０１は、図１０に示すステップＳ４０１と基本的には同じである。ただし、上述したようにセンサ２０１ｃが、ユーザ１０が身につける端末の生体センサである場合、取得する情報は、空間内の二次元画像ではなく、生体センサが検出した生体情報である。
【０２２９】
ステップＳ１５０２にて、機器１０１ｃの情報送受信部１３０２ｃは、ステップＳ１５０１にて取得した情報をクラウドサーバ１１１に送信する。クラウドサーバ１１１の情報送受信部１３０４は、機器１０１ｃから情報を受信する。
【０２３０】
ここで、ステップＳ１５０１にてセンサ２０１が検出する頻度、又は、ステップＳ１５０２にて情報送受信部１３０２ｃが情報を送信するタイミングについては特に限定されず、所定の時間間隔で情報を検出、送信すればよい。
【０２３１】
ステップＳ１５０３にて、クラウドサーバ１１１の制御処理部１４０１の視聴環境推定部１４０２は、受信した情報を基に空間内の状態およびユーザ１０の状態を推定する。ここで、センサ２０１が撮像装置により二次元画像を検出している場合、実施の形態１と同様の方法で（例えば図１１等を参照）、空間内のユーザ１０の有無、ユーザ１０の人数、又は、ユーザ１０の状態、向き若しくは行動などを推定する。
【０２３２】
また、センサ２０１が、ユーザ１０が身につける端末の生体センサ等である場合、取得した生体情報からユーザ１０の状態又は感情を推定する。この場合、クラウドサーバ１１１内でどのユーザ１０が身につけている機器１０１ｃなのかが管理されていれば、事前に把握しておくことができる。その場合、実施の形態１で説明したようにユーザ１０の存否の推定は不要である。また状態又は感情の推定方法は、既知の方法を用いればよく詳細な説明は省略する。また、このとき推定した状態をコンテンツ管理部１４０４の視聴環境蓄積ＤＢ２０４Ａに記録又は蓄積していってもよい。また、センサ２０１が収音マイクである場合、うなり又は鳴き声などの音声からストレス又は緊張の度合いを推定するようにしてもよい。また、会話の頻度、又は、会話の盛り上がり若しくは盛り下がり、楽器又は声音の特徴把握、楽曲の進行状況、拍手又は指を鳴らすなどユーザ１０の行為などを検知して再生する映像音響コンテンツを切り替えるようにしてもよい。
【０２３３】
ステップＳ１５０５にて、クラウドサーバ１１１の情報送受信部１３０４は、ステップＳ１５０４にて決定した制御内容、つまり制御コマンドを各機器に送信する。ここで、ステップＳ１５０５にて情報送受信部１３０４が制御内容を送信するタイミングは、ステップＳ１５０４にて制御内容が決定した都度に遅滞なく送信することが望ましいが、これに限られない。例えば所定の時間間隔ごとに定期的に制御内容を各機器に送信してもよい。
【０２３４】
ステップＳ１５０６にて、機器１０１ｂ、１０１ｃ及び１０１ｄは、クラウドサーバ１１１から送信された制御内容、つまり制御コマンドに従って出力動作を行う。
【０２３５】
以上、本実施の形態では、機器１０１ｃにて検出した空間の情報もしくはユーザ１０の生体情報などから、クラウドサーバ１１１にてユーザ１０の状態を推定し、クラウドサーバ１１１にて機器１０１ｃ以外の機器、つまり機器１０１ｄ及び１０１ｅなどを制御する内容を決定し、各機器を制御する。かかる構成によれば、実施の形態１と同様、ユーザ１０に煩わしい操作を要することなくユーザ１０にとって最適な映像音響コンテンツの再生環境を提供することができる。また、本実施の形態では、クラウドサーバ１１１にて状態推定又は制御内容の決定に関する処理、情報の蓄積、テーブルの管理を行っている。よって、機器側に処理能力の高いプロセッサ又はメモリ等を搭載する必要がない。また、本実施の形態では複数の機器およびクラウドサーバ間で連携し制御内容を決定している。よって、一つの機器に搭載されているセンサの情報のみから、複数の機器を最適に制御することが可能となり、各機器が各々センサを搭載する必要がない。
【０２３６】
なお、コンテンツ管理部１４０４に嗜好傾向ＤＢ１４０５を構築し、ユーザ１０の状態に応じた制御内容に関する嗜好を学習していってもよい。すなわち、ユーザ１０の機器への制御コマンドに関するログ情報を分析することで制御内容決定のためのテーブルを適宜最適なものに更新していく。この場合、センサ２０１ｃとして、機器の利用状況をセンシングするものを用いてもよい。例えば、図２４の各機器の使用状況をセンシングし、嗜好傾向ＤＢ１４０５に蓄積していく。
【０２３７】
クラウドサーバ１１１では、膨大な情報つまりビッグデータを管理及び解析することが可能となる。よって、このように嗜好傾向ＤＢ１４０５にて機器のログ情報又はセンシング情報を蓄積しユーザ１０もしくはユーザ１０の嗜好を学習していくことが可能であるため、実施の形態１に比べてより快適なサービスを提供できる。また、クラウドサーバ１１１にて他のユーザ１０が保持している機器から取得した情報を合わせて解析することで、（ａ）類似のユーザ１０が好む映像音響コンテンツの傾向を用いた再生順又はタイミングの制御パターンを抽出する、（ｂ）映像と音響との相性又は人気のランキングを形成し次回の再生に活用する、（ｃ）映像音響コンテンツを制作するクリエータ２０の画面又はコミュニティにフィードバックし、電子機器が置かれている環境又は再生条件を意識した映像又は音響に役立てるなど、新たな価値あるサービスの提供が可能となる。
【０２３８】
なお、ここでは電子機器を制御するサーバを、ネットワークを介して接続するクラウドサーバ１１１として説明したが、電子機器を制御する機器制御サーバの構成はこれに限らず、宅内の電子機器と同一のネットワークに接続されたローカルな環境にあるローカルサーバがゲートウエイとしての役割を担ってもよく、また、電子機器そのものに電子機器を制御する機器制御サーバ機能を実装してもよい。
【０２３９】
なお、ここでは、制御対象となる電子機器について、スピーカを搭載したディスプレイを例に説明したが、制御対象とする電子機器と、その判定基準および制御内容とはこれに限られない。説明した形状とは異なるが、映像を壁面に投影するプロジェクタ、ユーザ１０専用に用意された画面付端末、床に埋め込まれたディスプレイサイネージ、自動走行又は自動飛行を行う移動型のディスプレイなどを制御対象としてもよい。また、空気又はアロマの香りを制御可能な加湿器又は除湿機、窓又は玄関の採光を制御できる、カーテン又はブラインドの電子制御装置を制御対象としてもよい。また、その判定基準は、説明の簡易化のために睡眠状態又は行動状態に映像を出力するか否かという観点で説明したが、制御の判定基準はこれに限らず、ユーザ１０の行動履歴の状態、泣き声から推測される欲求、ユーザ１０の振動状態から推測するストレス反応などの大きさを判定基準としてもよい。なお、ユーザ１０の行動履歴の状態には、例えば、いつもに比べて今日はあまり動いていない、又は、いつもに比べて今日は動きが激しい、などの情報を含む。また、制御内容はひとつの電子機器の画面に対する映像音響出力又は香りの制御、照明の調光オンオフによるユーザ１０におけるストレス緩和又は発散につなげてもよい。
【０２４０】
なお、ここではセンサ、具体的にはカメラ、照度計、３軸センサ又は感圧式ボタンなどから得られた現在のデータを解析して、現在のユーザ１０の状態を推定することを例に説明したが、制御内容を決定する判定基準に用いる入力データは、現時点での状態推定に限らない。例えば、入力データは、過去の状態から現在の状態に至る状態変化と過去のデータとを比較し、過去のデータと類似の状況において過去に不良状態から良状態に状態を遷移させた実績のある当該ユーザ種別または当該ユーザ固有の嗜好に基づくコンテンツを現在の状態に応じて選別して採用するようにしてもよい。また、選別には、時間帯、天候又は季節、ユーザ１０の人数などに応じて制御するようにしてもよい。例えば、突然の夕立又は落雷が予測されるときには、外の様子の変化を映像として採用する、又は、雷などの突然の音に備えて予め小さな音から大きな音へ変化するような映像を採用するようにしてもよい。また、当該ユーザ１０が子供であれば安心を促す映像、成人であれば勇敢に狩りに出かけることをイメージさせる映像を採用するなど、採用する映像に変化を与えるものとしてもよい。なお、過去のデータは、ユーザ１０自身の家族又は子供の成長記録の実績データでもよいし、同世代の実績値又はその平均値を利用してもよい。さらに、一定時間内に想定した状態に遷移しない場合、又は、不良状態へ遷移してしまった場合に、過去のデータに応じて出力コンテンツの優先度付けを行い、優先度の高いものから順次制御を実行するようにしてもよい。
【０２４１】
なお、ここでは電子機器または連携する外部の専用端末が実装するセンサからのインプットを中心に具体的な例を示して説明したが、インプットされるデータはセンサに限らず、例えば、電子機器又は連携する外部の専用端末が、レストランの個室、ホテルの客室、マンションのパーティルーム、結婚式の披露宴会場、個人または法人が注文するデリバリー形式のケータリング先といった場所に置かれる場合、レストランであれば予約したユーザ１０の属性情報、過去の予約履歴又はオーダー履歴、招待したユーザ１０のプロフィール、お祝い事又は記念日などのパーティ、又は、宿泊の利用目的、当日のコース料理の内容、予約した個室又はホテル居室の空間テーマ又は特徴などの、ユーザ１０または空間に関する静的または動的な情報を含んでもよい。ここで、ユーザ１０の属性情報は、ユーザ１０の年齢、性別、家族構成、子供の有無又は職業などを含む。オーダー履歴は、食事又は酒の嗜好を含む。そして、コンテンツに関する制御では、例えば、お子様がいる時にはポップな映像音響コンテンツを優先的に再生させる、コース料理の提供の進捗に合わせて映像音響コンテンツの再生内容を変更するようにしてもよい。より具体的には、音響は途切れなく再生しながら、食材の原産地に関連する映像に切り替える、選択したデザート又は紅茶に関連する地域に属するアーティストの音楽又はアート作品を優先して選定する、ウィーン宮廷料理ならオーストリアに関連する映像又は音楽を優先する、などがあり得る。
【０２４２】
また、専用端末は、例えば、焙煎機、コーヒーメーカー、電磁調理機、又は、オーブンといった調理機器であり、焙煎した生豆の原産地を判定し、焙煎時の音、ミル時の音、ドリップ時の音を活用したその時々の映像音響コンテンツをその場で生成するようにしてもよい。また、電磁調理機でコトコトと煮る様子又はオーブンでじっくりと焼きあがる工程を映像音響コンテンツとして組み込むことで、提供される料理又は飲料のバックグラウンドを五感で楽しませる演出を提供することができる。また、ワイン又は日本酒の銘柄を特定することができるワインボトルクーラーが外部の専用端末として存在する場合、喫飲するお酒の銘柄情報から産地又は原材料、こだわりの飲み方に関連する映像音響コンテンツを再生したり、日本酒の造り方を解説する映像音響コンテンツをボトル挿入と連動して再生したりするよう制御してもよい。また、外部の専用端末のセンサが、天井カメラのように、空間の広範囲の状況を認識できるセンサであった場合、コース料理がテーブル上に出揃った時点、又は、出揃うまでの時間に、料理長からのメッセージビデオ、又は、料理に使われた食材の原産地又は飼育環境、３日間の仕込み工程など、食卓に並んだ料理のバックストーリーをタイミングよく自動的に挿入再生することで、空間の間延びを避け、料理の美味しさを映像音響コンテンツの情報により最高潮に演出することができる。
【０２４３】
また、会話の頻度、又は、会話の盛り上がり若しくは盛り下がりを検知することで、会話の頻度が高く、笑い声又は声のトーンを指標に盛り上がっていると判定する場合には、映像音響コンテンツの映像又は音響が主張し過ぎず、画面のちらつき若しくは切り替えが少ない映像、又は、音の強弱が少ない音響楽曲を優先的に選定するようにしてもよい。また、会話の頻度が低く、笑い声が少なく声のトーンから緊張又は盛り下がりを判定する場合には、映像音響コンテンツの映像、又は、音響に工夫を施し、ポップでユーモアに富んだ映像、動きのある映像、じっくり鑑賞することで変化又は意外性の話題を提供できる映像、又は、場の雰囲気を軽快にする音響楽曲を優先的に選定するようにしてもよい。
【０２４４】
また、電子機器又は連携する外部の専用端末が、ビル共用部、会議室、音楽スタジオ、又は、シェアハウスの共有空間に置かれる場合、電子機器および外部の専用端末を複数台設置するようにしてもよい。例えば、ビル共用部の混雑度合いを電子機器または外部の専用端末に搭載したセンサまたは来館数記録システムから取得し、空間が閑散としていれば、複数の電子機器の配置関係を把握し、複数の電子機器で１枚の大きな映像を形成して再生させるよう各電子機器に配置関係を加味して映像を切り出して配信制御するようにしてもよい。また、空間内が混雑していれば、個々の来場者が身近に映像音響コンテンツを視認できるよう個々の電子機器に最適化して映像音響コンテンツを再生するように制御してもよい。また、大切なお客様の来客をビル共用部でおもてなしの心でお迎えするために、お客様の事業に関係する映像音響コンテンツを優先的に再生してもよい。また、お客様の顔の特徴を予め登録し、お客様の来客を検知することで劇的または自然体に映像音響コンテンツを変化させる演出を提供してもよい。
【０２４５】
また、例えば、会議室であれば、会議の設定時間に合わせて映像音響コンテンツの再生順序を設計し、冒頭の目的課題共有から議論派生のフェーズ、まとめのフェーズ、ラップアップと承認、アクションアイテム確認などに応じて映像音響コンテンツを再生するようにしてもよい。また、会話の頻度が高く活発な議論が行えていることを示す場合には、電子機器の本体では、活発でよい会議を示す映像音響コンテンツを再生し、さらに、外部の出力機器として、照明の色合いを変更したり、リラックス又はクールダウン効果を促す香りを出力したりするよう制御することで、空間価値を高めるよう制御してもよい。また、会話の頻度が低く活発な議論が展開されていない場合、議論のきっかけになるような映像音響コンテンツを再生したり、煮詰まった思考感情をブレークダウンさせるような爽やかな効果がある映像音響コンテンツを再生したり、思考を刺激するような効果のある香りを出力するよう制御したりしてもよい。さらに、会議室利用終了時刻の１５分前から、会議室利用終了時刻が近いことを示すよう再生方法を変更制御してもよい。例えば、１５分前からアラーム音が段階的に挿入される、画面が段階的に小さくなる、音響音量が大きくなる、又は、画面が真っ赤に染まっていくなど、会議室利用者に明示的に状況の変化が伝わるよう工夫することができる。
【０２４６】
また、例えば、音楽スタジオ又はカラオケなどの音響ルームであれば、音楽を奏でる奏者又は声楽として音声を発する演者が音楽を発するので映像コンテンツだけを再生する制御にしてもよい。奏者又は演者がリラックスして練習できる環境づくりとして、奏者又は演者を認識して予め登録された奏者又は演者の好みの映像コンテンツを再生したり、奏でた楽器の声音特徴又は声楽として発した声音の特徴を把握し、その特徴に応じた映像コンテンツを再生したりしてもよい。特に、練習中の奏者又は演者においては、本来奏でるべき音階に対し、適合度が高い場合には、適合度が高いことを示す映像コンテンツを再生する、または、適合度が低い場合には、適合度が低く対処すべき内容を含む映像コンテンツを再生するなどが考えられる。この映像コンテンツは、例えば、音程を高くする方向に誘導するための右肩上がりに物体が動く映像などがある。また、音楽スタジオに限らず、奏者又は演者を有するコンサートホール、高級レストラン、ホテルロビー、ビル共用部、又は、商業複合施設のステージなどに当該電子機器を複数台設置した場合、各々が個別に動作するのではなく、電子機器同士が通信部を介してネットワークで接続され、統一された同期的な動きをするよう設計実装し、奏者または演者が発した音声の特徴、具体的には楽曲、楽器、演者の声紋に応じて複数の電子機器で同期的に映像コンテンツを再生させるよう演出することもできる。例えば、クラシックなどの楽曲を特定し、楽曲の起承転結のために設計された映像コンテンツを、進行状況に合わせて少なくとも１つ以上の電子機器で再生するよう制御してもよい。
【０２４７】
また、奏者または演者が発する音声の特徴に限らず、演奏又は声楽を聴衆する観客の拍手又は指笛、場を取り仕切るファシリテーターが指を鳴らす動作で発する単発音など、ユーザ１０の行動行為で発する非言語の音声又は環境音の特徴を判定し、映像音響コンテンツの再生内容又は再生順序を変更するようにしてもよい。
【０２４８】
また、例えば、シェアハウスの共用スペースであれば、時系列と共に共用スペースでも共同生活をする入居者が増減し、場の雰囲気づくりを変化させる必要がある。そのため、例えば、電子機器または外部の専用端末のセンサで共用スペースの人数を把握し、人数が少ない時には落ち着いた映像音響コンテンツに切り替える、又は、人数が増えて人同士の会話が増えたり、パーティに近い雰囲気になったりすれば、明るくポップな映像音響コンテンツに切り替えるように制御してもよい。さらに、あるユーザ１０がアナログレコードを持ち出して、レコードプレーヤーで再生を始めたら、外部音楽ありと判定し、電子機器または外部の専用端末からの音響コンテンツ出力を停止して、映像コンテンツの再生のみに変更するよう制御してもよい。ここで、人数の把握は、例えば二次元温度センサにより有温物体の数を把握することでなされ得る。また、外部音楽の特徴をクラウド上のデータベースと照合して把握し、外部音楽の特徴にマッチするカテゴリの映像コンテンツに切り替えるようにしてもよい。なお、ここでは、映像音響コンテンツは、電子機器または外部の専用端末にプリセットされていてもよいし、通信部を介してネットワーク経由でダウンロードして追加できるようにしてもよい。
【０２４９】
（実施の形態３）
本実施の形態では、上記の各実施の形態又は変形例に示した電子機器の構成、及び、電子機器の制御方法について説明する。
【０２５０】
図２６は、本実施の形態に係る機器１０１を示すブロック図である。
【０２５１】
図２６に示されるように、機器１０１は、取得部３０１と、制御処理部３０２とを備える。
【０２５２】
取得部３０１は、機器１０１の周囲の環境に関する情報、又は、機器１０１の設置態様に関する情報を含む、機器１０１の環境情報を取得する。
【０２５３】
制御処理部３０２は、機器１０１の環境情報と、機器１０１によるコンテンツの提示に関する制御の内容との所定の対応付けを参照することで、取得した環境情報に対応付けられた、機器１０１によるコンテンツの提示に関する制御を行う。
【０２５４】
図２７は、本実施の形態に係る機器１０１の制御方法を示すフロー図である。
【０２５５】
図２７に示されるように、機器１０１の制御方法は、ステップＳ１及びＳ２を含む。
【０２５６】
ステップＳ１において、取得部３０１は、機器１０１の周囲の環境に関する情報、又は、機器１０１の設置態様に関する情報を含む、機器１０１の環境情報を取得する。
【０２５７】
ステップＳ２において、制御処理部３０２は、機器１０１の環境情報と、機器１０１によるコンテンツの提示に関する制御の内容との所定の対応付けを参照することで、取得した環境情報に対応付けられた、機器１０１によるコンテンツの提示に関する制御を行う。
【０２５８】
これにより、電子機器は、ハードウェア又はソフトウェア的な要因とは異なる、電子機器の周囲の環境に応じたコンテンツの提示の制御を行うことができる。
【０２５９】
上記態様において説明された技術は、例えば、以下のクラウドサービスの類型において実現されうる。しかし、上記態様において説明された技術が実現される類型はこれに限られるものでない。
【０２６０】
（サービスの類型１：自社データセンタ型）
図２８は、サービスの類型１（自社データセンタ型）を示す。本類型は、サービスプロバイダ１２０がグループ１００から情報を取得し、ユーザ１０に対してサービスを提供する類型である。本類型では、サービスプロバイダ１２０が、データセンタ運営会社の機能を有している。すなわち、サービスプロバイダ１２０が、ビッグデータの管理をするクラウドサーバ１１１を保有している。従って、データセンタ運営会社は存在しない。
【０２６１】
本類型では、サービスプロバイダ１２０は、データセンタ２２０３（クラウドサーバ１１１）を運営、管理している。また、サービスプロバイダ１２０は、ＯＳ２２０２及びアプリケーション２２０１を管理する。サービスプロバイダ１２０は、サービスプロバイダ１２０が管理するＯＳ２２０２及びアプリケーション２２０１を用いてサービス提供２２０４を行う。
【０２６２】
（サービスの類型２：ＩａａＳ利用型）
図２９は、サービスの類型２（ＩａａＳ利用型）を示す。ここでＩａａＳとはインフラストラクチャー・アズ・ア・サービスの略であり、コンピュータシステムを構築および稼動させるための基盤そのものを、インターネット経由のサービスとして提供するクラウドサービス提供モデルである。
【０２６３】
本類型では、データセンタ運営会社がデータセンタ２２０３（クラウドサーバ１１１）を運営、管理している。また、サービスプロバイダ１２０は、ＯＳ２２０２及びアプリケーション２２０１を管理する。サービスプロバイダ１２０は、サービスプロバイダ１２０が管理するＯＳ２２０２及びアプリケーション２２０１を用いてサービス提供２２０４を行う。
【０２６４】
（サービスの類型３：ＰａａＳ利用型）
図３０は、サービスの類型３（ＰａａＳ利用型）を示す。ここでＰａａＳとはプラットフォーム・アズ・ア・サービスの略であり、ソフトウェアを構築および稼動させるための土台となるプラットフォームを、インターネット経由のサービスとして提供するクラウドサービス提供モデルである。
【０２６５】
本類型では、データセンタ運営会社１１０は、ＯＳ２２０２を管理し、データセンタ２２０３（クラウドサーバ１１１）を運営、管理している。また、サービスプロバイダ１２０は、アプリケーション２２０１を管理する。サービスプロバイダ１２０は、データセンタ運営会社が管理するＯＳ２２０２及びサービスプロバイダ１２０が管理するアプリケーション２２０１を用いてサービス提供２２０４を行う。
【０２６６】
（サービスの類型４：ＳａａＳ利用型）
図３１は、サービスの類型４（ＳａａＳ利用型）を示す。ここでＳａａＳとはソフトウェア・アズ・ア・サービスの略である。例えばデータセンタ（クラウドサーバ）を保有しているプラットフォーム提供者が提供するアプリケーションを、データセンタ（クラウドサーバ）を保有していない会社・個人（利用者）がインターネットなどのネットワーク経由で使用できる機能を有するクラウドサービス提供モデルである。
【０２６７】
本類型では、データセンタ運営会社１１０は、アプリケーション２２０１を管理し、ＯＳ２２０２を管理し、データセンタ２２０３（クラウドサーバ１１１）を運営、管理している。また、サービスプロバイダ１２０は、データセンタ運営会社１１０が管理するＯＳ２２０２及びアプリケーション２２０１を用いてサービス提供２２０４を行う。
【０２６８】
以上いずれの類型においても、サービスプロバイダ１２０がサービス提供行為を行ったものとする。また例えば、サービスプロバイダ若しくはデータセンタ運営会社は、ＯＳ、アプリケーション若しくはビッグデータのデータベース等を自ら開発してもよいし、また、第三者に外注させてもよい。
【０２６９】
以上のように、各実施の形態の電子機器の制御方法によれば、電子機器は、取得した環境情報と、所定の対応付けとを用いてコンテンツの提示に関する制御を行う。所定の対応付けには、電子機器の環境情報と、制御の内容とが予め対応づけられている。よって、電子機器は、取得した電子機器の環境情報に基づいてコンテンツの提示に関する制御を行い得る。このように、電子機器は、電子機器の周囲の環境に応じたコンテンツの提示の制御を行うことができる。
【０２７０】
また、環境情報は、電子機器の周囲の人の有無若しくは向き、又は、周囲の明るさというように具体的な情報を含む。また、電子機器は、環境情報を取得するセンサを用いて具体的に構成され得る。このような具体的な構成に基づいて、電子機器は、電子機器の周囲の環境に応じたコンテンツの提示に関する制御を行うことができる。
【０２７１】
また、電子機器は、コンテンツの提示に関する制御として、複数のコンテンツのうちから提示すべきコンテンツを選択することができる。
【０２７２】
また、電子機器は、複数のコンテンツのうちから提示すべきコンテンツを選択する際に、コンテンツの属性情報に基づいてコンテンツを選択することができる。
【０２７３】
また、電子機器は、複数のコンテンツのうちから提示すべきコンテンツを選択する際に、コンテンツの提示の際におけるコンテンツの編集、調整又は加工などが許容されるか否かを示す許容情報に基づいて、コンテンツの選択をすることができる。これにより、許容されない態様でのコンテンツの提示が回避される。
【０２７４】
また、電子機器は、コンテンツの提示に関する制御として、コンテンツの提示の開始、停止又は終了を行うことができる。
【０２７５】
また、電子機器は、コンテンツの提示に関する制御として、コンテンツの音量又は明るさの変更を行うことができる。
【０２７６】
また、環境情報は、電子機器の姿勢に関する具体的な情報を含む。そして、電子機器は、電子機器の姿勢に基づいてコンテンツの提示に関する制御を行うことができる。
【０２７７】
また、環境情報は、電子機器が複数並べて配置されているか否かを示す具体的な情報を含む。そして、電子機器は、電子機器の配置のされ方に基づいてコンテンツの提示に関する制御を行うことができる。
【０２７８】
また、電子機器は、コンテンツを提示した回数、提示した時刻などを示すログ情報を出力する。出力されたログ情報は、例えばコンテンツのクリエータにフィードバックされ、コンテンツの改善、又は、新規コンテンツの作成の際に活用され得る。
【０２７９】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の電子機器などを実現するソフトウェアは、次のようなプログラムである。
【０２８０】
すなわち、このプログラムは、コンピュータに、  電子機器の制御方法であって、前記電子機器の周囲の環境に関する情報、又は、前記電子機器の設置態様に関する情報を含む、前記電子機器の環境情報を取得し、前記電子機器の環境情報と、前記電子機器によるコンテンツの提示に関する制御の内容との所定の対応付けを参照することで、取得した前記環境情報に対応付けられた、前記電子機器によるコンテンツの提示に関する制御を行う制御方法を実行させる。
【０２８１】
以上、一つまたは複数の態様に係る電子機器などについて、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０２８２】
本開示にかかる電子機器の機器制御方法は、家庭内および家庭外のあらゆる電子機器に搭載可能である。また自動車等の車両や飛行機などの移動体に本開示における電子機器および機器制御方法を搭載することもできる。
【符号の説明】
【０２８３】
１０    ユーザ
２０    クリエータ
１００    グループ
１０１、１０１ａ、１０１ｂ、１０１ｃ、１０１ｄ、１０１ｅ    機器
１０２    ホームゲートウェイ
１０３    リモコン
１１０    データセンタ運営会社
１１１    クラウドサーバ
１２０    サービスプロバイダ
１２１    サーバ
２０１、２０１ｃ、２０１Ｆ、２０１ＢＨ、２０１ＢＬ    センサ
２０２、２０２ｄ    出力部
２０２ｅ    入出力部
２０３、３０２、１３０１、１３０３、１４０１    制御処理部
２０３Ａ、１３０３Ａ、１４０２    視聴環境推定部
２０３Ｂ、１４０３    制御内容決定部
２０４、１３０５、１４０４    コンテンツ管理部
２０４Ａ    視聴環境蓄積ＤＢ
２０４Ｂ    コンテンツＤＢ
２０５    上部スピーカ
２０６    下部スピーカ
２０７、１３０２、１３０２ｃ、１３０２ｄ、１３０２ｅ、１３０４    情報送受信部
３０１    取得部
８０１、９０１Ａ、９０１Ｂ、９０１Ｃ、９０１Ｄ、１００１、１１０１、１２０１    テーブル
１４０５    嗜好傾向ＤＢ
２２０１    アプリケーション
２２０２    ＯＳ
２２０３    データセンタ
２２０４    サービス提供
Ｃ２０５、Ｃ２０６    音声
Ｆ１    フック
Ｈ１    フック掛け穴
Ｐ１０１    外装フレーム
Ｐ１０２    構造フレーム
Ｐ１０３    バックカバー
Ｐ１０４    装飾部材
Ｐ１１１    スピーカネット
Ｐ１１２    スピーカベース板
Ｐ１１３    スピーカ
Ｐ１２１    カバーガラス
Ｐ１２２    表示パネル
【図１】
2020065097.tif 000003
【図２】
2020065097.tif 000004
【図３】
2020065097.tif 000005
【図４】
2020065097.tif 000006
【図５】
2020065097.tif 000007
【図６】
2020065097.tif 000008
【図７】
2020065097.tif 000009
【図８】
2020065097.tif 000010
【図９】
2020065097.tif 000011
【図１０】
2020065097.tif 000012
【図１１】
2020065097.tif 000013
【図１２】
2020065097.tif 000014
【図１３】
2020065097.tif 000015
【図１４】
2020065097.tif 000016
【図１５】
2020065097.tif 000017
【図１６】
2020065097.tif 000018
【図１７】
2020065097.tif 000019
【図１８】
2020065097.tif 000020
【図１９】
2020065097.tif 000021
【図２０】
2020065097.tif 000022
【図２１】
2020065097.tif 000023
【図２２】
2020065097.tif 000024
【図２３】
2020065097.tif 000025
【図２４】
2020065097.tif 000026
【図２５】
2020065097.tif 000027
【図２６】
2020065097.tif 000028
【図２７】
2020065097.tif 000029
【図２８】
2020065097.tif 000030
【図２９】
2020065097.tif 000031
【図３０】
2020065097.tif 000032
【図３１】
2020065097.tif 000033